(57)【要約】  無線通信システムにおいてＬＡＤＮ利用方法及びそのための装置が開示される。具体的には、無線通信システムにおいてＵＥによりＬＡＤＮのためのＰＤＵセッションを確立する方法であって、ＡＭＦに登録要求メッセージを送信する段階であって、前記登録要求メッセージは、前記ＡＭＦにＬＡＤＮ情報を要求することと関連したＬＡＤＮ要求情報を含む、段階と、前記ＡＭＦから前記ＬＡＤＮ情報を含む登録受諾メッセージを受信する段階であって、前記ＬＡＤＮ情報は前記ＵＥに利用できる少なくとも１つのＬＡＤＮに関連する、段階と、前記ＡＭＦから受信されたＬＡＤＮ情報に基づいて前記少なくとも１つのＬＡＤＮに対するＰＤＵセッション確立要求を前記ＡＭＦに送信する段階と、を含むことができる。【選択図】図８
2020530244.tif 000002
【特許請求の範囲】
【請求項１】
無線通信システムにおいてユーザ装置（UE：User Equipment）によりローカルエリアデータネットワーク（ＬＡＤＮ：Local Area Data Network）のためのプロトコルデータユニット（ＰＤＵ：Protocol Data Unit）セッションを確立する方法であって、
アクセス及びモビリティ管理機能（ＡＭＦ：Access and Mobility Management Function）に登録要求（registration request）メッセージを送信する段階であって、前記登録要求メッセージは、前記ＡＭＦにＬＡＤＮ情報を要求することと関連したＬＡＤＮ要求情報を含む、段階と、
前記ＡＭＦから前記ＬＡＤＮ情報を含む登録受諾（registration accept）メッセージを受信する段階であって、前記ＬＡＤＮ情報は、前記ＵＥに利用できる少なくとも１つのＬＡＤＮと関連する、段階と、
前記ＡＭＦから受信されたＬＡＤＮ情報に基づいて前記少なくとも１つのＬＡＤＮに対するＰＤＵセッション確立要求（PDU session establishment request）を前記ＡＭＦに送信する段階と、を含む、方法。
【請求項２】
前記ＬＡＤＮ情報は、登録領域において前記ＵＥに利用できる１つ以上のＬＡＤＮのリストを参照し、
前記１つ以上のＬＡＤＮのリスト内の各エントリは、ＬＡＤＮに対するサービス領域及び前記ＬＡＤＮに対する少なくとも１つのデータネットワーク名（ＤＮＮ：Data Network Name）に関する情報を含むことを特徴とする、請求項１に記載の方法。
【請求項３】
前記登録要求メッセージ内の前記ＬＡＤＮ要求情報は、前記ＡＭＦにおいて前記ＵＥに対するＬＡＤＮサービスをサポートする少なくとも１つのＬＡＤＮを特定し、
前記ＡＭＦにおいて前記ＵＥに対する前記ＬＡＤＮサービスをサポートする少なくとも１つのＬＡＤＮを特定する前記ＬＡＤＮ要求情報に基づいて、前記ＡＭＦから受信されたＬＡＤＮ情報の１つ以上のＬＡＤＮのリストは、前記ＡＭＦにおいてＵＥに対するＬＡＤＮサービスをサポートする少なくとも１つのＬＡＤＮのリストであることを特徴とする、請求項２に記載の方法。
【請求項４】
予め設定されたＬＡＤＮ接続許可（connection permission）情報に基づいてＰＤＵセッション確立を要求するための手順を開始する段階をさらに含むことを特徴とする、請求項１に記載の方法。
【請求項５】
前記ＵＥが前記ＬＡＤＮにおいて用いられるＬＡＤＮサービスを受信できるように許可するワイルドカードＤＮＮに関する加入情報を決定する段階をさらに含むことを特徴とする、請求項１に記載の方法。
【請求項６】
前記登録要求メッセージを送信する段階は、前記ＵＥがＣＭ＿ＣＯＮＮＥＣＴＥＤ状態にあることに基づいて前記登録要求メッセージを送信する段階を含む、請求項１に記載の方法。
【請求項７】
前記登録要求メッセージを送信する段階は、前記ＵＥがＲＲＣ状態を変更することに基づいて、且つ、ＲＲＣ状態報告が行われなければならないか否かを示す情報に基づいて、前記登録要求メッセージを送信する段階を含む、請求項６に記載の方法。
【請求項８】
無線通信システムにおいてローカルエリアデータネットワーク（ＬＡＤＮ：Local Area Data Network）のためのプロトコルデータユニット（ＰＤＵ：Protocol Data Unit）セッションを確立するために設定されたユーザ装置（ＵＥｄ）であって、
少なくとも１つの無線周波数（ＲＦ：radio frequency）モジュールと、
少なくとも１つのプロセッサと、
前記少なくとも１つのプロセッサに動作可能に接続することができ、実行されるときに前記少なくとも１つのプロセッサが動作を行うようにする指示を保存する少なくとも１つのコンピュータメモリと、を含み、
前記動作は、
アクセス及びモビリティ管理機能（ＡＭＦ：Access and Mobility Management Function）に登録要求（registration request）メッセージを送信する段階であって、前記登録要求メッセージは、前記ＡＭＦにＬＡＤＮ情報を要求することに関するＬＡＤＮ要求情報を含む、段階と、
前記ＡＭＦから前記ＬＡＤＮ情報を含む登録受諾（registration accept）メッセージを受信する段階であって、前記ＬＡＤＮ情報は、前記ＵＥに利用できる少なくとも１つのＬＡＤＮに関連する、段階と、
前記ＡＭＦから受信されたＬＡＤＮ情報に基づいて前記少なくとも１つのＬＡＤＮに対するＰＤＵセッション確立要求（PDU session establishment request）を前記ＡＭＦに送信する段階と、を含む、ユーザ装置。
【請求項９】
前記ＬＡＤＮ情報は、登録領域において前記ＵＥに利用できる１つ以上のＬＡＤＮのリストを参照し、
前記１つ以上のＬＡＤＮのリスト内の各エントリは、ＬＡＤＮに対するサービス領域及び前記ＬＡＤＮに対する少なくとも１つのデータネットワーク名（ＤＮＮ：Data Network Name）に関する情報を含むことを特徴とする、請求項８に記載のユーザ装置。
【請求項１０】
前記登録要求メッセージ内の前記ＬＡＤＮ要求情報は、前記ＡＭＦにおいて前記ＵＥに対するＬＡＤＮサービスをサポートする少なくとも１つのＬＡＤＮを特定し、
前記ＡＭＦにおいて前記ＵＥに対する前記ＬＡＤＮサービスをサポートする少なくとも１つのＬＡＤＮを特定する前記ＬＡＤＮ要求情報に基づいて、前記ＡＭＦから受信されたＬＡＤＮ情報の少なくとも１つのＬＡＤＮなどのリストは、前記ＡＭＦにおいてＵＥに対するＬＡＤＮサービスをサポートする少なくとも１つのＬＡＤＮのリストであることを特徴とする、請求項９に記載のユーザ装置。
【請求項１１】
前記動作は、予め設定されたＬＡＤＮ接続許可（connection permission）情報に基づいてＰＤＵセッション確立を要求するための手順を開始する段階をさらに含むことを特徴とする、請求項８に記載のユーザ装置。
【請求項１２】
前記動作は、前記ＵＥが前記ＬＡＤＮにおいて使用されるＬＡＤＮサービスを受信できるように許可するワイルドカードＤＮＮに関する加入情報を決定する段階をさらに含むことを特徴とする、請求項８に記載の方法。
【請求項１３】
前記登録要求メッセージを送信する段階は、
前記ＵＥがＣＭ＿ＣＯＮＮＥＣＴＥＤ状態にあることに基づいて前記登録要求メッセージを送信する段階を含む、請求項８に記載のユーザ装置。
【請求項１４】
前記登録要求メッセージを送信する段階は、前記ＵＥがＲＲＣ状態を変更することに基づいて、且つ、ＲＲＣ状態報告が行われなければならないか否かを示す情報に基づいて、前記登録要求メッセージを送信する段階を含む、請求項１３に記載のユーザ装置。
【請求項１５】
無線通信システムにおいてユーザ装置（ＵＥ：User Equipment）のためのローカルエリアデータネットワーク（ＬＡＤＮ：Local Area Data Network）のためのプロトコルデータユニット（ＰＤＵ：Protocol Data Unit）セッションを確立するためにアクセス及びモビリティ管理機能（ＡＭＦ：Access and Mobility Management Function）により行われる方法であって、
前記ＡＭＦからＬＡＤＮ情報を要求することと関連したＬＡＤＮ要求情報を含む登録要求メッセージを前記ＵＥから受信する段階と、
前記ＵＥに前記ＬＡＤＮ情報を含む登録受諾メッセージを送信する段階であって、前記ＬＡＤＮ情報は、前記ＵＥに利用できる少なくとも１つのＬＡＤＮに関連する、段階と、
前記ＡＭＦから受信した前記ＬＡＤＮ情報に基づいて前記ＵＥに前記少なくとも１つのＬＡＤＮに対するＰＤＵセッション確立要求を受信する段階と、を含む、方法。
【請求項１６】
前記ＬＡＤＮ情報は、登録領域において前記ＵＥに利用できる少なくとも１つのＬＡＤＮのリストを参照し、
前記１つ以上のＬＡＤＮのリスト内の各エントリは、ＬＡＤＮに対するサービス領域及び前記ＬＡＤＮに対する少なくとも１つのデータネットワーク名（ＤＮＮ：Data Network Name）に関する情報を含む、請求項１５に記載の方法。
【請求項１７】
前記登録要求メッセージ内の前記ＬＡＤＮ要求情報は、前記ＡＭＦにおいて前記ＵＥに対するＬＡＤＮサービスをサポートする少なくとも１つのＬＡＤＮを特定し、
前記ＡＭＦにおいて前記ＵＥに対する前記ＬＡＤＮサービスをサポートする少なくとも１つのＬＡＤＮを特定する前記ＬＡＤＮ要求情報に基づいて、前記ＵＥに送信されるＬＡＤＮ情報の１つ以上のＬＡＤＮのリストは、前記ＡＭＦにおいて前記ＵＥに対するＬＡＤＮサービスをサポートする少なくとも１つのＬＡＤＮのリストであることを特徴とする、請求項１６に記載の方法。
【請求項１８】
無線通信システムにおいてユーザ装置（ＵＥ：User Equipment）のためのローカルエリアデータネットワーク（ＬＡＤＮ：Local Area Data Network）のためのプロトコルデータユニット（ＰＤＵ：Protocol Data Unit）セッションを確立するために設定されたアクセス及びモビリティ管理機能（ＡＭＦ：Access and Mobility Management Function）であって、
少なくとも１つの無線周波数（ＲＦ）モジュールと、
少なくとも１つのプロセッサと、
前記少なくとも１つのプロセッサに動作可能に接続することができ、実行されるときに前記少なくとも１つのプロセッサが動作を行うようにする指示を保存する少なくとも１つのコンピュータメモリと、を含み、
前記動作は、
前記ＡＭＦからＬＡＤＮ情報を要求することに関するＬＡＤＮ要求情報を含む登録要求メッセージを前記ＵＥから受信する段階と、
前記ＵＥに前記ＬＡＤＮ情報を含む登録受諾メッセージを送信する段階であって、前記ＬＡＤＮ情報は、前記ＵＥに利用できる少なくとも１つのＬＡＤＮに関連する、段階と、
前記ＡＭＦから受信した前記ＬＡＤＮ情報に基づいて前記ＵＥに前記少なくとも１つのＬＡＤＮに対するＰＤＵセッション確立要求を受信する段階と、を含む、ＡＭＦ。
【請求項１９】
前記ＬＡＤＮ情報は、登録領域において前記ＵＥに利用できる１つ以上のＬＡＤＮのリストを参照し、
前記１つ以上のＬＡＤＮのリスト内の各エントリは、ＬＡＤＮに対するサービス領域及び前記ＬＡＤＮに対する少なくとも１つのデータネットワーク名（ＤＮＮ：Data Network Name）に関する情報を含む、請求項１８に記載のＡＭＦ。
【請求項２０】
前記登録要求メッセージ内の前記ＬＡＤＮ要求情報は、前記ＡＭＦにおいて前記ＵＥに対するＬＡＤＮサービスをサポートする少なくとも１つのＬＡＤＮを特定し、
前記ＡＭＦにおいて前記ＵＥに対する前記ＬＡＤＮサービスをサポートする少なくとも１つのＬＡＤＮを特定する前記ＬＡＤＮ要求情報に基づいて、前記ＵＥに送信されるＬＡＤＮ情報の１つ以上のＬＡＤＮのリストは、前記ＡＭＦにおいて前記ＵＥに対するＬＡＤＮサービスをサポートする少なくとも１つのＬＡＤＮのリストであることを特徴とする、請求項１９に記載のＡＭＦ。
【発明の詳細な説明】
【技術分野】
【０００１】
本発明は、無線通信システムに関し、より詳細には、ユーザ装置（ＵＥ：User Equipment）がローカルエリアデータネットワーク（ＬＡＤＮ：Local Area Data Network）を利用するための方法及びそれをサポートする装置に関する。
【背景技術】
【０００２】
移動通信システムは、ユーザの活動性を保証しながら、音声サービスを提供するために開発された。しかしながら、移動通信システムは、音声だけでなく、データサービスまで領域を拡張し、現在には爆発的なトラフィックの増加によってリソースの不足現象が引き起こされ、ユーザがより高速のサービスを要求するので、より発展した移動通信システムが要求されている。
【０００３】
次世代の移動通信システムの要求条件は大きく、爆発的なデータトラフィックの収容、ユーザ当たり送信率の画期的な増加、大幅に増加した接続デバイス数の収容、非常に低いエンドツーエンド遅延（End-to-End Latency）、高エネルギー効率をサポートできなければならない。このために、デュアルコネクティビティ（Dual Connectivity）、大規模多重入出力（Ｍａｓｓｉｖｅ  ＭＩＭＯ：Massive Multiple Input Multiple Output）、全二重（In-band Full Duplex）、非直交多元接続（ＮＯＭＡ：Non-Orthogonal Multiple Access）、超広帯域（Super wideband）サポート、端末ネットワーキング（Device Networking）など、多様な技術が研究されている。
【発明の概要】
【発明が解決しようとする課題】
【０００４】
本発明の目的は、ＵＥがＬＡＤＮを効果的に利用するための方法を提案する。
【０００５】
また、本発明の目的は、ＬＡＤＮサービスのための最適化したＬＡＤＮ情報を提供する方法を提案する。
【０００６】
また、本発明の目的は、非加入（non-subscription）モデルのためのＬＡＤＮ発見方法を提案する。
【０００７】
本発明で達成しようとする技術的課題は以上で言及した技術的課題に制限されず、言及しない更に他の技術的課題は以下の記載から本発明が属する技術分野で通常の知識を有する者が明確に理解できるはずである。
【課題を解決するための手段】
【０００８】
本発明の一態様は、無線通信システムにおいてユーザ装置（ＵＥ：User Equipment）によるローカルエリアデータネットワーク（ＬＡＤＮ：Local Area Data Network）サービスのためのプロトコルデータユニット（ＰＤＵ：Protocol Data Unit）セッションを確立するための方法であって、アクセス及びモビリティ管理機能（ＡＭＦ：Access and Mobility Management Function）に登録要求（registration request）を送信する段階であって、前記登録要求は、ＬＡＤＮサービスに対するＬＡＤＮ情報の要求を通知するための情報を含む、段階と、前記ＡＭＦから前記登録要求が受諾されたことを通知するための登録受諾（registration accept）を受信する段階であって、前記登録受諾は、前記ＬＡＤＮ情報を含む、段階と、ＰＤＵセッション確立手順（PDU session establishment procedure）を行うことにより前記ＬＡＤＮサービスのためのＰＤＵセッションを確立する段階と、を含むことができる。
【０００９】
本発明の他の一態様は、無線通信システムにおいてローカルエリアデータネットワーク（ＬＡＤＮ：Local Area Data Network）サービスのためのプロトコルデータユニット（ＰＤＵ：Protocol Data Unit）セッションを確立するためのユーザ装置（ＵＥ：User Equipment）であって、送受信機（transceiver）と、前記送受信機を制御するプロセッサとを含み、前記プロセッサは、アクセス及びモビリティ管理機能（ＡＭＦ：Access and Mobility Management Function）に登録要求（registration request）を送信し、前記登録要求はＬＡＤＮサービスに対するＬＡＤＮ情報の要求を通知するための情報を含み、前記ＡＭＦから前記登録要求が受諾されたことを通知するための登録受諾（registration accept）を受信し、前記登録受諾は、前記ＬＡＤＮ情報を含み、ＰＤＵセッション確立手順（PDU session establishment procedure）を行うことにより前記ＬＡＤＮサービスのためのＰＤＵセッションを確立するように構成される。
【００１０】
好ましくは、前記登録要求は、前記ＡＭＦにおいてサービスをサポートするＬＡＤＮ情報のみの要求又はＰＬＭＮ（Public Land Mobile Network）に共通に適用されているＬＡＤＮ情報の要求を区分するための区分子及び／又は以前に受信したＬＡＤＮ情報のバージョン情報をさらに含むことができる。
【００１１】
好ましくは、前記区分子に基づいて、前記登録受諾は、前記ＡＭＦにおいてサービスをサポートするＬＡＤＮ情報のみを含む又は前記ＰＬＭＮに共通に適用されているＬＡＤＮ情報を含むことができる。
【００１２】
好ましくは、前記ＬＡＤＮ情報のバージョン情報に基づいて、前記登録受諾は、前記ＬＡＤＮ情報バージョン情報に比べてバージョンがアップデートされたＬＡＤＮ情報のみを含むことができる。
【００１３】
好ましくは、ＬＡＤＮ発見（discovery）に関するポリシーを設定し、前記ＬＡＤＮ発見に関するポリシーに基づいて前記ＵＥが前記ＬＡＤＮ情報の発見を決定するとき、前記登録要求が前記ＡＭＦに送信されることができる。
【００１４】
好ましくは、前記ＬＡＤＮ発見（discovery）に関するポリシー内に含まれた有効性条件（validity condition）を満足する又は前記ＵＥがＬＡＤＮサービス領域内に進入したことを認知するとき、前記ＬＡＤＮ情報の発見を決定することができる。
【００１５】
好ましくは、前記ＬＡＤＮ発見（discovery）に関するポリシーは、ＵＥ別に独立して決定されることができる。
【００１６】
好ましくは、前記ＬＡＤＮ発見（discovery）に関するポリシーは、前記ＵＥに事前設定（pre-configured）されることができる。
【００１７】
好ましくは、前記ＡＭＦから前記ＬＡＤＮ発見（discovery）に関するポリシーを受信することができる。
【発明の効果】
【００１８】
本発明の実施形態によると、ＵＥがＬＡＤＮを効果的に使用することができる。
【００１９】
また、本発明の実施形態によると、ＵＥが登録ごとに／ＬＡＤＮ情報のアップデートが発生するたびに不必要なＬＡＤＮ情報の受信を防止することができる。
【００２０】
また、ＬＡＤＮ発見ポリシーをＵＥ別に生成（決定）することによりＵＥ別にさらに柔軟なＬＡＤＮサービスを提供することができる。
【００２１】
本発明で得ることができる効果は、以上で言及した効果に制限されず、言及しない更に他の効果は以下の記載から本発明が属する技術分野で通常の知識を有する者が明確に理解できるはずである。
【図面の簡単な説明】
【００２２】
本発明に関する理解を助けるために詳細な説明の一部に含まれる添付図は、本発明に対する実施例を提供し、詳細な説明と共に本発明の技術的特徴を説明する。
【００２３】
【図１】本発明が適用できる無線通信システムアーキテクチャを例示する図である。
【図２】本発明が適用できる無線通信システムにおいて無線プロトコルスタックを例示する図である。
【図３】本発明が適用できる無線通信システムにおいてＬＡＤＮ情報提供方法及びＬＡＤＮサービス領域を説明するための図である。
【図４】本発明が適用できる無線通信システムにおいてＵＥのモビリティイベント通知及びＮＧ−ＲＡＮの位置報告手順を例示する図である。
【図５】本発明が適用できる無線通信システムにおいてＬＡＤＮサービス領域内のＵＥの存在の報告を説明するための図である。
【図６】本発明の一実施形態によるＬＡＤＮ情報伝達方法を例示する図である。
【図７】本発明の一実施形態によるＬＡＤＮ発見に関するポリシー伝達方法を例示する図である。
【図８】本発明の一実施形態によるＬＡＤＮ利用方法を例示する図である。
【図９】本発明の一実施形態によるユーザ装置のブロック構成図を例示する。
【図１０】本発明の一実施形態によるユーザ装置のブロック構成図を例示する。
【図１１】本発明の一実施形態によるＬＡＤＮ利用方法を例示する図である。
【図１２】本発明の一実施形態によるネットワークノードのブロック構成図を例示する。
【図１３】本発明の一実施形態によるネットワークノードのブロック構成図を例示する。
【発明を実施するための形態】
【００２４】
以下、本発明に係る好ましい実施形態を添付図を参照して詳細に説明する。添付図と共に以下に開示する詳細な説明は、本発明の例示的な実施形態を説明しようとするものであり、本発明が実施されることができる唯一な実施形態を示そうとするものではない。以下の詳細な説明は、本発明の完全な理解を提供するために具体的な細部事項を含む。しかし、当業者は、本発明がこのような具体的な細部事項がなくとも、実施されることができるということを知っている。
【００２５】
いくつかの場合、本発明の概念が曖昧になることを避けるために、公知の構造及び装置は省略されるか、各構造及び装置の中核機能を中心としたブロック図の形式で示すことができる。
【００２６】
本明細書において、基地局は、端末と直接的に通信を行うネットワークの終端ノード（terminal node）としての意味を有する。本文書で基地局によって行われるものと説明された特定の動作は、場合によっては基地局の上位ノード（upper node）によって行われてもよい。すなわち、基地局を含む多数のネットワークノード（network nodes）からなるネットワークで端末との通信のために行われる多様な動作は、基地局又は基地局以外の他のネットワークノードによって行われ得ることは自明である。「基地局（ＢＳ：Base Station）」は、固定局（fixed station）、ＮｏｄｅＢ、ｅＮＢ（evolved-NodeB）、ＢＴＳ（base transceiver system）、アクセスポイント（ＡＰ：Access Point）等の用語によって代替し得る。また、「端末（Terminal）」は、固定される又はモビリティを有することができ、ＵＥ（User Equipment）、ＭＳ（Mobile Station）、ＵＴ（user terminal）、ＭＳＳ（Mobile Subscriber Station）、ＳＳ（Subscriber Station）ＡＭＳ（Advanced Mobile Station）、ＷＴ（Wireless terminal）、 ＭＴＣ（Machine-Type communication）装置、Ｍ２Ｍ（Machine-to-Machine）装置、Ｄ２Ｄ（Device-to-Device）装置等の用語に代替され得る。
【００２７】
以下で、ダウンリンク（ＤＬ：downlink）は基地局から端末への通信を意味し、アップリンク（ＵＬ：uplink）は端末から基地局への通信を意味する。ダウンリンクで、送信機は基地局の一部であり、受信機は端末の一部であり得る。アップリンクで、送信機は端末の一部であり、受信機は基地局の一部であり得る。
【００２８】
以下の説明で使用される特定の用語は、本発明の理解を助けるために提供され、このような特定の用語の使用は、本発明の技術的思想を免脱しない範囲で他の形態に変更され得る。
【００２９】
本発明の実施形態は、無線接続システムであるＩＥＥＥ ８０２、３ＧＰＰ、及び３ＧＰＰ２のうち少なくとも１つに開示された標準文書によって裏付けられることができる。すなわち、本発明の実施例のうち、本発明の技術的思想を明確に示すために説明していない段階または部分は、前記文書により裏付けられることができる。また、本文書で開示している全ての用語は、前記標準文書によって説明されることができる。
【００３０】
説明を明確にするために、３ＧＰＰ ５Ｇ（5 Generation）システムを中心に記述するが、本発明の技術的特徴がこれに制限されることはない。
【００３１】
本明細書で使用される用語は、以下のように定義される。
【００３２】
−ＥＰＳ（Evolved Packet System）：ＩＰ（Internet Protocol）基盤のパケット交換（packet  switched）コアネットワークであるＥＰＣ（Evolved Packet Core）と、ＬＴＥ、ＵＴＲＡＮなどのアクセスネットワークとから構成されたネットワークシステム。ＵＭＴＳが進化した形態のネットワークである。
【００３３】
−ｅＮｏｄｅＢ：ＥＰＳネットワークの基地局。屋外に設置し、カバレッジはマクロセル（macro cell）の規模である。
【００３４】
−ＩＭＳＩ（International Mobile Subscriber Identity）：移動通信ネットワークにおいて国際的に固有に割り当てられるユーザ識別子。
【００３５】
−ＰＬＭＮ（Public Land Mobile Network）：個人に移動通信サービスを提供する目的で構成されたネットワーク。オペレータ別に区分されて構成されてもよい。
【００３６】
−５Ｇシステム（５ＧＳ：5G System）：５Ｇアクセスネットワーク（ＡＮ：Access Network）、５Ｇコアネットワーク、及びユーザ装置（ＵＥ：User Equipment）で構成されたシステム。
【００３７】
−５Ｇアクセスネットワーク（５Ｇ−ＡＮ：5G Access Network）（又は、ＡＮ）：５Ｇコアネットワークに接続される次世代無線アクセスネットワーク（ＮＧ−ＲＡＮ：New Generation Radio Access Network）及び／又は非３ＧＰＰアクセスネットワーク（non-3GPP AN：non-5G Access Network）で構成されるアクセスネットワーク。
【００３８】
−次世代無線アクセスネットワーク（ＮＧ−ＲＡＮ：New Generation Radio Access Network）（又は、ＲＡＮ）：５ＧＣに接続されるという共通の特徴を有し、次のオプションのうち１つ以上をサポートする無線アクセスネットワーク：
【００３９】
１）スタンドアローンの新しい無線（Standalone New Radio）。
【００４０】
２）Ｅ−ＵＴＲＡ拡張をサポートするアンカー（anchor）の新しい無線（new radio）。
【００４１】
３）スタンドアローンのＥ−ＵＴＲＡ（例えば、ｅＮｏｄｅＢ）。
【００４２】
４）新しい無線（new radio）拡張をサポートするアンカー（anchor）
【００４３】
−５Ｇコアネットワーク（５ＧＣ：5G Core Network）：５Ｇアクセスネットワークに接続されるコアネットワーク
【００４４】
−ネットワーク機能（ＮＦ：Network Function）：ネットワーク内の３ＧＰＰにおいて採択（adopted）される又は３ＧＰＰにおいて定義された処理機能を意味し、このような処理機能は、定義された機能的な動作（functional behavior）と３ＧＰＰにおいて定義されたインタフェースを含む。
【００４５】
−ＮＦサービス（NF service）：サービス基盤インタフェースを介してＮＦにより露出され、他の認証されたＮＦにより利用される（consumed）機能
【００４６】
−ネットワークスライス：特定のネットワーク能力及びネットワークの特徴を提供する論理的なネットワーク
【００４７】
−ネットワークスライスインスタンス（Network Slice instance）：配置されるネットワークスライスを形成するＮＦインスタンス及び要求されるリソース（例えば、計算、保存、及びネットワーキングリソース）のセット。
【００４８】
−プロトコルデータユニット（ＰＤＵ：Protocol Data Unit） 接続サービス（PDU Connectivity Service）：ＵＥとデータネットワークとの間のＰＤＵの交換を提供するサービス。
【００４９】
−ＰＤＵ接続サービス（PDU Connectivity Service）：ＵＥとデータネットワークとの間のＰＤＵの交換を提供するサービス
【００５０】
−ＰＤＵセッション（PDU Session）：ＰＤＵ接続サービスを提供するＵＥとデータネットワークとの間の関連付け（association）。関連付けタイプは、インターネットプロトコル（ＩＰ：Internet Protocol）、イーサネット（Ethernet）又は非構造化（unstructured）にされることができる。
【００５１】
−ＮＡＳ（Non-Access Stratum）：ＥＰＳ、５ＧＳプロトコルスタックにおいて端末とコアネットワーク間のシグナリング、トラフィックメッセージをやり取りするための機能的な層。端末のモビリティをサポートし、セッション管理手順をサポートすることを主たる機能とする。
【００５２】
本発明が適用できる５Ｇシステムアーキテクチャ
【００５３】
５Ｇシステムは、第４世代ＬＴＥ移動通信技術から進歩した技術であって、既存の移動通信網構造の改善（Evolution）又はクリーンステート（Clean-state）構造による新しい無線アクセス技術（ＲＡＴ：Radio Access Technology）、ＬＴＥ（Long Term Evolution）の拡張された技術としてｅＬＴＥ（extended LTE）、ｎｏｎ−３ＧＰＰ（例えば、無線ローカルエリアネットワーク（ＷＬＡＮ：Wireless Local Area Network）アクセスなどをサポートする。
【００５４】
５Ｇシステムアーキテクチャは、配置（deployment）がネットワーク機能仮想化（Network Function Virtualization）及びソフトウェア定義ネットワーキング（Software Defined Networking）などの技術を使用できるようにデータ接続及びサービスをサポートするように定義される。５Ｇシステムアーキテクチャは、制御プレーン（ＣＰ：Control Plane）ネットワーク機能（ＮＦ：Network Function）間にサービス基盤相互動作（interaction）を活用する。
【００５５】
図１は、本発明が適用できる無線通信システムアーキテクチャを例示する。
【００５６】
５Ｇシステムアーキテクチャは、多様な構成要素（すなわち、ネットワーク機能（ＮＦ：network function））を含み、図１にはその一部に相当する構成要素を例示する。
【００５７】
アクセス及びモビリティ管理機能（ＡＭＦ：Access and Mobility Management Function）は、３ＧＰＰアクセスネットワーク間のモビリティのためのＣＮノード間のシグナリング、無線アクセスネットワーク（ＲＡＮ：Radio Access Network）ＣＰインタフェース（Ｎ２）の終端（termination）、ＮＡＳシグナリングの終端（Ｎ１）、登録管理（登録領域（Registration Area）管理）、アイドルモードＵＥ到達可能性（reachability）、ネットワークスライシング（Network Slicing）のサポート、ＳＭＦの選択などの機能をサポートする。
【００５８】
ＡＭＦの一部又は全体の機能は、１つのＡＭＦの単一インスタンス内でサポートされることができる。
【００５９】
データネットワーク（ＤＮ：Data network）は、例えば、運営者サービス、インターネット接続、又はサードパーティー（3rd party）サービスなどを意味する。ＤＮは、ＵＰＦにダウンリンクプロトコルデータユニット（ＰＤＵ：Protocol Data Unit）を送信するか、ＵＥから送信されたＰＤＵをＵＰＦから受信する。
【００６０】
ポリシー制御機能（ＰＣＦ：Policy Control function）は、アプリケーションサーバからパケットのフローに関する情報を受信し、モビリティ管理、セッション管理などのポリシーを決定する機能を提供する。
【００６１】
セッション管理機能（ＳＭＦ：Session Management Function）は、セッション管理機能を提供し、ＵＥが複数のセッションを有する場合、各セッション別に異なるＳＭＦにより管理される。
【００６２】
ＳＭＦの一部又は全体の機能は、１つのＳＭＦの単一インスタンス内でサポートされる。
【００６３】
統合データ管理（ＵＤＭ：Unified Data Management）は、ユーザの加入データ、ポリシーデータなどを保存する。
【００６４】
ユーザプレーン機能（ＵＰＦ：User plane Function）は、ＤＮから受信したダウンリンクＰＤＵを（Ｒ）ＡＮを経由してＵＥに伝達し、（Ｒ）ＡＮを経由してＵＥから受信したアップリンクＰＤＵをＤＮに伝達する。
【００６５】
アプリケーション機能（ＡＦ：Application Function）は、サービス提供（例えば、トラフィックルーティング上でアプリケーションの影響、ネットワーク能力露出（Network Capability Exposure）接近、ポリシー制御のためのポリシーフレームワークとの相互動作などの機能をサポート）のために３ＧＰＰコアネットワークと相互動作する。
【００６６】
（無線）アクセスネットワーク（（Ｒ）ＡＮ：（Radio）Access Network）は、４Ｇ無線アクセス技術の進化したバージョンである進化したＥ−ＵＴＲＡ（evolved E-UTRA）と新しい無線アクセス技術（ＮＲ：New Radio）（例えば、ｇＮＢ）を両方ともサポートする新しい無線アクセスネットワークを総称する。
【００６７】
ｇＮＢは、無線リソース管理のための機能（すなわち、無線ベアラ制御（Radio Bearer Control）、無線許可制御（Radio Admission Control）、接続モビリティ制御（Connection Mobility Control）、アップリンク／ダウンリンクにおけるＵＥへのリソースの動的割り当て（Dynamic allocation of resources（すなわち、スケジューリング））などの機能をサポートする。
【００６８】
ユーザ装置（ＵＥ：User Equipment）はユーザ機器を意味する。
【００６９】
３ＧＰＰシステムにおいては、５Ｇシステム内のＮＦ間を接続する概念的なリンクを参照点（reference point）と定義する。
【００７０】
Ｎ１（又は、ＮＧ１）はＵＥとＡＭＦとの間の参照点、Ｎ２（又は、ＮＧ２）は（Ｒ）ＡＮとＡＭＦとの間の参照点、Ｎ３（又は、ＮＧ３）は（Ｒ）ＡＮとＵＰＦとの間の参照点、Ｎ４（又は、ＮＧ４）はＳＭＦとＵＰＦとの間の参照点、Ｎ５（又は、ＮＧ５）はＰＣＦとＡＦとの間の参照点、Ｎ６（又は、ＮＧ６）はＵＰＦとデータネットワークとの間の参照点、Ｎ７（又は、ＮＧ７）はＳＭＦとＰＣＦとの間の参照点、Ｎ２４（又は、ＮＧ２４）は訪問ネットワーク（visited network）内のＰＣＦとホームネットワーク（home network）内のＰＣＦとの間の参照点、Ｎ８（又は、ＮＧ８）はＵＤＭとＡＭＦとの間の参照点、Ｎ９（又は、ＮＧ９）は２つのコアＵＰＦ間の参照点、Ｎ１０（又は、ＮＧ１０）はＵＤＭとＳＭＦとの間の参照点、Ｎ１１（又は、ＮＧ１１）はＡＭＦとＳＭＦとの間の参照点、Ｎ１２（又は、ＮＧ１２）はＡＭＦとＡＵＳＦとの間の参照点、Ｎ１３（又は、ＮＧ１３）はＵＤＭと認証サーバ機能（ＡＵＳＦ：Authentication Server function）との間の参照点、Ｎ１４（又は、ＮＧ１４）は２つのＡＭＦ間の参照点、Ｎ１５（又は、ＮＧ１５）は、非ローミングシナリオの場合はＰＣＦとＡＭＦとの間の参照点、ローミングシナリオの場合は訪問ネットワーク（visited network）内のＰＣＦとＡＭＦとの間の参照点を意味する。
【００７１】
一方、図１においては、説明の便宜のためにＵＥが１つのＰＤＵセッションを利用して１つのＤＮにアクセスする場合に対する参照モデルを例示するが、これに限定されることはない。
【００７２】
図２は、本発明が適用できる無線通信システムにおいて無線プロトコルスタックを例示する図である。
【００７３】
図２の（ａ）は、ＵＥとｇＮＢとの間の無線インタフェースユーザプレーンプロトコルスタックを例示し、図２の（ｂ）はＵＥとｇＮＢとの間の無線インタフェース制御プレーンプロトコルスタックを例示する。
【００７４】
制御プレーンは、ＵＥとネットワークが呼を管理するために用いる制御メッセージが送信される通路を意味する。ユーザプレーンは、アプリケーション層で生成されたデータ、例えば、音声データ又はインターネットパケットデータなどが送信される通路を意味する。
【００７５】
図２（ａ）に示すように、ユーザプレーンプロトコルスタックは、第１層（Layer 1）（すなわち、物理（ＰＨＹ：physical layer）層）、第２層（Layer 2）に分割される。
【００７６】
図２（ｂ）に示すように、制御プレーンプロトコルスタックは、第１層（すなわち、ＰＨＹ層）、第２層、第３層（すなわち、無線リソース制御無線リソース制御（ＲＲＣ：radio resource control）層）、ノン−アクセスストレイタム（ＮＡＳ：Non-Access Stratum）層に分割される。
【００７７】
第２層は、媒体アクセス制御（ＭＡＣ：Medium Access Control）副層、無線リンク制御（ＲＬＣ：Radio Link Control）副層、パケットデータコンバージェンスプロトコル（ＰＤＣＰ：Packet Data Convergence Protocol）副層、サービスデータ適応プロトコル（ＳＤＡＰ：Service Data Adaptation Protocol）副層（ユーザプレーンの場合）に分割される。
【００７８】
無線ベアラは２種類のグループに分類される：ユーザプレーンデータのためのデータ無線ベアラ（ＤＲＢ：data radio bearer）と制御プレーンデータのためのシグナリング無線ベアラ（ＳＲＢ：signalling radio bearer）
【００７９】
以下、無線プロトコルの制御プレーンとユーザプレーンの各層について説明する。
【００８０】
１）第１層であるＰＨＹ層は、物理チャネル（physical channel）を用いることにより上位層への情報送信サービス（information transfer service）を提供する。物理層は、上位レベルに位置するＭＡＣ副層にトランスポートチャネル（transport channel）を介して接続され、トランスポートチャネルを介してＭＡＣ副層とＰＨＹ層との間でデータが送信される。トランスポートチャネルは、無線インタフェースを介してデータがどのようにどのような特徴で送信されるかによって分類される。また、異なる物理層間、送信端のＰＨＹ層と受信端のＰＨＹ層との間には物理チャネル（physical channel）を介してデータが送信される。
【００８１】
２）ＭＡＣ副層は、論理チャネル（logical channel）とトランスポートチャネル（transport channel）との間のマッピングと、トランスポートチャネルを介してＰＨＹ層に／から伝達されるトランスポートブロック（ＴＢ：transport block）に／から１つの又は異なる論理チャネルに属するＭＡＣサービスデータユニット（ＳＤＵ：Service Data Unit）の多重化／逆多重化と、スケジューリング情報報告と、ＨＡＲＱ（hybrid automatic repeat request）によるエラー訂正と、動的スケジューリングを用いたＵＥ間の優先順位ハンドリングと、論理チャネル優先順位を用いた１つのＵＥの論理チャネル間の優先順位ハンドリングと、パディング（Padding）とを行う。
【００８２】
異なる種類のデータは、ＭＡＣ副層により提供されるサービスを伝達する。各論理チャネルタイプは、どのようなタイプの情報が送信されるかを定義する。
【００８３】
論理チャネルは、２種類のグループに分類される：制御チャネル（Control Channel）及びトラフィックチャネル（Traffic Channel）。
【００８４】
ｉ）制御チャネルは、制御プレーン情報のみを伝達するために用いられ、次の通りである。
【００８５】
−ブロードキャスト制御チャネル（ＢＣＣＨ：Broadcast Control Channel）：システム制御情報をブロードキャストするためのダウンリンクチャネル。
【００８６】
−ページング制御チャネル（ＰＣＣＨ：Paging Control Channel）：ページング情報及びシステム情報変更通知を伝達するダウンリンクチャネル。
【００８７】
−共通制御チャネル（ＣＣＣＨ：Common Control Channel）：ＵＥとネットワークとの間の制御情報を送信するためのチャネル。このチャネルはネットワークとＲＲＣ接続を有しないＵＥのために用いられる。
【００８８】
−専用制御チャネル（ＤＣＣＨ：Dedicated Control Channel）：ＵＥとネットワークとの間に専用制御情報を送信するためのポイントツーポイント（point-to-point）双方向チャネル。ＲＲＣ接続を有するＵＥにより用いられる。
【００８９】
ｉｉ）トラフィックチャネルは、ユーザプレーン情報のみを用いるために用いられる：
【００９０】
−専用トラフィックチャネル（ＤＴＣＨ：Dedicated Traffic Channel）：ユーザ情報を伝達するための、単一のＵＥに専用される、ポイントツーポイント（point-to-point）チャネル。ＤＴＣＨは、アップリンク及びダウンリンク両方とも存在することができる。
【００９１】
ダウンリンクにおいて、論理チャネルとトランスポートチャネルとの間の接続は次の通りである。
【００９２】
ＢＣＣＨはＢＣＨにマッピングされることができる。ＢＣＣＨはＤＬ−ＳＣＨにマッピングされることができる。ＰＣＣＨはＰＣＨにマッピングされることができる。ＣＣＣＨはＤＬ−ＳＣＨにマッピングされることができる。ＤＣＣＨはＤＬ−ＳＣＨにマッピングされることができる。ＤＴＣＨはＤＬ−ＳＣＨにマッピングされることができる。
【００９３】
アップリンクにおいて、論理チャネルとトランスポートチャネルとの間の接続は次の通りである。ＣＣＣＨはＵＬ−ＳＣＨにマッピングされることができる。ＤＣＣＨはＵＬ−ＳＣＨにマッピングされることができる。ＤＴＣＨはＵＬ−ＳＣＨにマッピングされることができる。
【００９４】
３）ＲＬＣ副層は３種類の送信モードをサポートする：透過モード（ＴＭ：Transparent Mode）、非確認モード（ＵＭ：Unacknowledged Mode）、確認モード（ＡＭ：Acknowledged Mode）。
【００９５】
ＲＬＣ設定は論理チャネル別に適用される。ＳＲＢの場合は、ＴＭ又はＡＭモードが用いられ、それに対して、ＤＲＢの場合は、ＵＭ又はＡＭモードが用いられる。
【００９６】
ＲＬＣ副層は、上位層ＰＤＵの伝達；ＰＤＣＰと独立したシーケンスナンバリング；ＡＲＱ（automatic repeat request）によるエラー訂正；分割（segmentation）及び再分割（re-segmentation）；ＳＤＵの再結合（reassembly）；ＲＬＣ ＳＤＵ廃棄（discard）；ＲＬＣ再確立（re-establishment）を行う。
【００９７】
４）ユーザプレーンのためのＰＤＣＰ副層は、シーケンスナンバリング（Sequence Numbering）；ヘッダ圧縮及び圧縮解除（decompression）（ロバストヘッダ圧縮（ＲｏＨＣ：Robust Header Compression）の場合のみ）；ユーザデータ伝達；再配列（reordering）及び複製検出（duplicate detection）（ＰＤＣＰより上位の層に伝達が要求される場合）；ＰＤＣＰ ＰＤＵルーティング（分割ベアラ（split bearer）の場合）；ＰＤＣＰ ＳＤＵの再送信；暗号化（ciphering）及び解読（deciphering）；ＰＤＣＰ ＳＤＵ廃棄；ＲＬＣ ＡＭのためのＰＤＣＰ再確立及びデータ復旧（recovery）；ＰＤＣＰ ＰＤＵの複製を行う。
【００９８】
制御プレーンのためのＰＤＣＰ副層は、追加的に、シーケンスナンバリング（Sequence Numbering）；暗号化（ciphering）、解読（deciphering）及び完全性保護（integrity protection）；制御プレーンデータ伝達；複製検出；ＰＤＣＰ ＰＤＵの複製を行う。
【００９９】
ＲＲＣにより無線ベアラのための複製（duplication）が設定されるとき、複製されたＰＤＣＰ ＰＤＵを制御するために追加的なＲＬＣ個体及び追加的な論理チャネルが無線ベアラに追加される。ＰＤＣＰにおいて複製は同一のＰＤＣＰ ＰＤＵを２回送信することを含む。１回目は元のＲＬＣ個体に伝達され、２回目は追加的なＲＬＣ個体に伝達される。ここで、元のＰＤＣＰ ＰＤＵ及び該当複製本は同一のトランスポートブロック（transport block）に送信されない。異なる２つの論理チャネルが同一のＭＡＣ個体に属することもあり（ＣＡの場合）、又は異なるＭＡＣ個体に属することもある（ＤＣの場合）。前者の場合、元のＰＤＣＰ ＰＤＵと該当複製本が同一のトランスポートブロック（transport block）に送信されないように保証するために論理チャネルマッピング制限が用いられる。
【０１００】
５）ＳＤＡＰ副層は、ｉ）ＱｏＳフローとデータ無線ベアラとの間のマッピング、ｉｉ）ダウンリンク及びアップリンクパケット内のＱｏＳフロー識別子（ＩＤ）のマーキングを行う。
【０１０１】
ＳＤＡＰの単一のプロトコル個体が各個別的なＰＤＵセッション別に設定されるが、例外的にデュアルコネクティビティ（ＤＣ：Dual Connectivity）の場合、２つのＳＤＡＰ個体が設定されてもよい。
【０１０２】
６）ＲＲＣ副層は、ＡＳ（Access Stratum）及びＮＡＳ（Non-Access Stratum）と関連するシステム情報のブロードキャスト；５ＧＣ又はＮＧ−ＲＡＮにより開始されたページング（paging）；ＵＥとＮＧ−ＲＡＮ間のＲＲＣ接続の確立、維持及び解除（追加的に、キャリアアグリゲーション（carrier aggregation）の修正及び解除とを含み、追加的に、Ｅ−ＵＴＲＡＮとＮＲ間に又はＮＲ内でのデュアルコネクティビティ（Dual Connectivity）の修正及び解除を含む）；キー管理を含むセキュリティ機能；ＳＲＢ及びＤＲＢの確立、設定、維持及び解除；ハンドオーバー及びコンテキスト伝達；ＵＥセル選択及び再解除及びセル選択／再選択の制御；ＲＡＴ間モビリティを含むモビリティ機能；ＱｏＳ管理機能、ＵＥ測定報告及び報告制御；無線リンク失敗の検出及び無線リンク失敗からの回復；ＮＡＳからＵＥへのＮＡＳメッセージ伝達及びＵＥからＮＡＳへのＮＡＳメッセージ伝達を行う。
【０１０３】
ローカルエリアデータネットワーク（ＬＡＤＮ：Local Area Data Network）
【０１０４】
ＬＡＤＮのためのＰＤＵセッションを介するＤＮへのアクセスは、特定ＬＡＤＮサービス領域内でのみ用いることができる。ＬＡＤＮサービス領域は、トラッキング領域のセットである。ＬＡＤＮは、ＵＥのサービングＰＬＭＮにより提供される：
【０１０５】
−ＬＡＤＮサービスは３ＧＰＰアクセスにのみ適用され、ホームルーティングケース（Home Routed case）には適用されない。
【０１０６】
−ＬＡＤＮデータネットワーク名（ＤＮＮ：Data Network Name）の利用は、このＬＡＤＮ ＤＮＮへの明示的な加入又はワイルドカードＤＮＮへの加入を要求する。
【０１０７】
−ＤＮＮがＬＡＤＮサービスに対応するか否かはＤＮＮの属性である。
【０１０８】
−ＵＥは、ＤＮＮがＬＡＤＮ ＤＮＮであるか否かを分かるように設定される。
【０１０９】
図３は、本発明が適用できる無線通信システムにおいてＬＡＤＮ情報提供方法及びＬＡＤＮサービス領域を説明するための図である。
【０１１０】
図３（ａ）に示すように、ＬＡＤＮ情報（すなわち、ＬＡＤＮサービス領域情報及びＬＡＤＮ ＤＮＮ）はＡＭＦ内にＤＮ単位で設定される（図３の例示のように、ＤＮＮ１：ＬＡＤＮ、サービス領域）。すなわち、同一のＬＡＤＮにアクセスする異なるＵＥに対して設定されたＬＡＤＮサービス領域は、他の要素とは関係なく同一である（例えば、ＵＥの登録領域又はＵＥの加入情報）。
【０１１１】
ＬＡＤＮ情報は、登録手順（Registration procedure）又はＵＥ設定アップデート手順（UE Configuration Update procedure）中にＡＭＦによりＵＥに提供される（図３（ａ）の第１段階）。
【０１１２】
ＡＭＦ内に設定された各ＬＡＤＮ ＤＮＮに対して、該当ＬＡＤＮサービス領域情報は、ＡＭＦがＵＥに割り当てる（assign）登録領域（Registration Area）に属するトラッキング領域（Tracking Area）のセットを含む（すなわち、ＬＡＤＮサービス領域と現在登録領域の交差領域）。
【０１１３】
ＵＥが（再）登録手順の実行に成功したとき、ＬＡＤＮに関するローカル設定、ＵＥの位置及び加入したＤＮＮに関してＵＤＭから受信されたＵＥ加入情報に基づいて、ＡＭＦは、登録受諾メッセージ（Registration Accept message）内の該当登録領域においてＵＥが使用できるＬＡＤＮに関するＬＡＤＮ情報をＵＥに提供することができる（図３（ａ）の第２段階）。
【０１１４】
その次の登録アップデート手順（Registration Update procedure）中に、ネットワークがＤＮＮに関するＬＡＤＮ情報を提供しないと、ＵＥはそのようなＤＮＮに関するＬＡＤＮ情報を削除する（図３（ａ）の第３段階）。
【０１１５】
５ＧＣ内のＵＥのためのＬＡＤＮ情報が変更されると、ＡＭＦはＵＥ設定アップデート／登録手順（UE Configuration Update/Registration procedure）によりＵＥにＬＡＤＮ情報をアップデートする（図３（ａ）の２段階）。
【０１１６】
ＵＥ内のＬＡＤＮ情報に基づいて、ＵＥは次のように動作する：
【０１１７】
ａ）ＵＥがＬＡＤＮサービス領域を外れるとき、ＵＥは：
【０１１８】
−このＬＡＤＮ ＤＮＮのためのＰＤＵセッションのユーザプレーン（ＵＰ：User Plane）接続の活性化を要求しない；
【０１１９】
−このＬＡＤＮ ＤＮＮのためのＰＤＵセッションを確立／修正しない；
【０１２０】
−ＵＥがネットワークから明示的なセッション管理（ＳＭ：Session Management）ＰＤＵセッション解除要求メッセージ（SM PDU Session Release Request message）を受信しない限り、このＬＡＤＮ ＤＮＮのための既存のＰＤＵセッションを解除しない。
【０１２１】
ｂ）ＵＥがＬＡＤＮサービス領域内に位置するとき、ＵＥは：
【０１２２】
−このＬＡＤＮ ＤＮＮのためのＰＤＵセッション確立／修正を要求することができる；
【０１２３】
−このＬＡＤＮ ＤＮＮのための既存のＰＤＵセッションのＵＰ接続の活性化を要求することができる。
【０１２４】
ＤＮＮをサポートするＳＭＦは、このＤＮＮがＬＡＤＮ ＤＮＮであるか否かに関する情報が設定される；ＳＭＦはＡＭＦにＬＡＤＮ ＤＮＮを提供することにより、関心領域（Area of Interest）（例えば、ＬＡＤＮサービス領域）内のＵＥの存在を報告するように「ＵＥモビリティイベント通知（UE mobility event notification）」を登録する。
【０１２５】
図４は、本発明が適用できる無線通信システムにおいてＵＥモビリティイベント通知及びＮＧ−ＲＡＮの位置報告手順を例示する図である。
【０１２６】
５Ｇシステムは、ＵＥモビリティイベントに対するトラッキング及び報告機能を提供する。
【０１２７】
ＡＭＦは、ＵＥモビリティ関連イベント報告をＵＥモビリティイベント報告サービスに加入が許可されたＮＦに提供する。
【０１２８】
ＵＥの位置の報告を受けることを希望するＳＭＦ、ＰＣＦ又はネットワーク露出機能（ＮＥＦ：Network Exposure Function）などのＮＦサービス消費者は、次のパラメータを用いてＡＭＦにＵＥモビリティイベント通知サービス（例えば、「Ｎａｍｆ＿ＥｖｅｎｔＥｘｐｏｓｕｒｅ＿Ｎｏｔｉｆｙ」）に加入することができる（図４の１段階）：
【０１２９】
−ＵＥモビリティに関する報告を受けることを特定するイベント報告タイプ（例えば、ＵＥの位置、関心領域（area of interest）上のＵＥモビリティ）
【０１３０】
−３ＧＰＰシステム内の地理的領域を特定する関心領域（area of interest）。関心領域は、トラッキング領域のリスト、（Ｒ）ＡＮノード識別子のリスト又はセルリストで表現される。ＬＡＤＮの場合、イベント消費者（例えば、ＳＭＦ）はＬＡＤＮ ＤＮＮに関心領域としてＬＡＤＮサービス領域を提供する。
【０１３１】
−イベント報告情報：イベント報告モード、報告回数、又は最大報告期間
【０１３２】
−通知アドレス（すなわち、通知されるＮＦサービス消費者の終点アドレス）
【０１３３】
−特定ＵＥ、ＵＥのグループ又は全てのＵＥを示すイベント報告のターゲット
【０１３４】
ＮＦサービス消費者がＡＭＦにより提供される関心領域内のＵＥの存在を報告するＵＥモビリティイベント通知サービスに加入すると、関心領域内のＵＥの存在を決定するためにＡＭＦはＵＥの接続管理（ＣＭ：Connection Management）状態を考慮し、ＮＧ−ＲＡＮ位置報告を用いて（もし、ＲＲＣ非活動（inactive）状態がＮＧ−ＲＡＮに適用されると）ＵＥの位置をトラッキングする。
【０１３５】
ＵＥの位置をトラッキングするために、ＡＭＦは、ＮＧ−ＲＡＮにＵＥの位置又は関心領域内のＵＥの存在に関する報告を要求することができる。また、ＡＭＦは、ＮＧ−ＲＡＮから関心領域内のＵＥの存在及び／又は現在のＵＥの位置（又は、時間スタンプと最後に通知されたＵＥの位置）報告を受けることができる。このような手順は必ず行われるわけではない。
【０１３６】
関心領域内のＵＥの存在の変化を感知すると、ＡＭＦは、関心領域内のＵＥの存在及び（選択的に）新しいＵＥの位置を加入したＮＦ消費者に通知する（図４の２段階）。
【０１３７】
ＡＭＦが変更されるとき、モビリティイベントの加入は以前のＡＭＦから伝達される。新しいＡＭＦがＵＥのモビリティ管理（ＭＭ：Mobility Management）コンテキストに基づいてこのイベントが以前のＡＭＦにより報告されると決定すると、新しいＡＭＦは、モビリティイベントの加入と関連した現在の状態でＳＭＦに通知しないように決定することもできる。
【０１３８】
ＣＭ−接続（ＣＭ−ＣＯＮＮＥＣＴＥＤ）状態で５ＧＣにいずれの報告もなくＵＥが関心領域を離れる、又は進入できるネットワーク配置内において（すなわち、ＮＧ−ＲＡＮにＲＲＣ ｉｎａｃｔｉｖｅ状態が適用される場合）、ＡＭＦは関心領域内のＵＥの存在をトラッキングするためにＮＧ−ＲＡＮ位置報告を開始することができる。
【０１３９】
図５は、本発明が適用できる無線通信システムにおいてＬＡＤＮサービス領域内のＵＥの存在の報告を説明するための図である。
【０１４０】
ＡＭＦは、次のように関心領域（area of interest）（例えば、ＬＡＤＮサービス領域）内のＵＥの存在（すなわち、内（ＩＮ）、外（ＯＵＴ）、不明（ＵＮＫＮＯＷＮ））を決定する。
【０１４１】
１）内（ＩＮ）：
【０１４２】
−ＵＥが関心領域内に位置し、ＵＥがＣＭ−ＣＯＮＮＥＣＴＥＤ状態であると、ＡＭＦはＵＥが関心領域内に存在（ＩＮ）すると決定する（図５（ｃ）を参照）。
【０１４３】
−または、ＵＥが関心領域内に含まれる登録領域内に位置すると、ＡＭＦはＵＥが関心領域内に存在（ＩＮ）すると決定する（図５（ａ）を参照）。
【０１４４】
２）外（ＯＵＴ）：
【０１４５】
−ＵＥが関心領域外であるが、関心領域を利用できる登録領域内に位置し、ＵＥがＣＭ−ＣＯＮＮＥＣＴＥＤ状態であると、ＡＭＦはＵＥが関心領域外（ＯＵＴ）であると決定する（図５（ｂ）を参照）。
【０１４６】
−または、ＵＥが関心領域を利用できない登録領域内に位置すると、ＡＭＦはＵＥが関心領域外（ＯＵＴ）であると決定する（図５（ｃ）を参照）。
【０１４７】
３）不明（ＵＮＫＮＯＷＮ）
【０１４８】
−ＵＥが関心領域を利用できない登録領域内に位置し、関心領域が登録領域の全体を含まず、ＵＥがＣＭ−ＩＤＬＥ状態であると、ＡＭＦは、ＵＥの存在を不明（ＵＮＫＮＯＷＮ）に決定する（図５（ｂ）及び図５（ｃ）を参照）。
【０１４９】
前述したように、ＡＭＦは、関心領域（例えば、ＬＡＤＮサービス領域）内のＵＥの存在を決定し、前述した図４の第２段階のように、ＵＥの存在をＵＥモビリティイベント報告サービス（例えば、Ｎａｍｆ＿ＥｖｅｎｔＥｘｐｏｓｕｒｅ＿Ｎｏｔｉｆｙ）に加入が許可されたＮＦ（例えば、ＳＭＦ）に提供する。
【０１５０】
ＡＭＦにより通知されたＬＡＤＮサービス領域内のＵＥの存在に関する通知（すなわち、内（ＩＮ）、外（ＯＵＴ）、不明（ＵＮＫＮＯＷＮ））によって、ＳＭＦは運営者のポリシーに基づいて次のように動作する：
【０１５１】
ａ）ＳＭＦがＬＡＤＮサービス領域内のＵＥが離脱した（「ＯＵＴ」）という通知を受けると、ＳＭＦは：
【０１５２】
−直ちにＰＤＵセッションを解除する；又は
【０１５３】
−ＰＤＵセッションを維持しながらＰＤＵセッションに対するユーザプレーン接続を非活性化し、ダウンリンクデータ通知（Downlink Data Notification）が非活性化されていることを確認（ensure）する。ＳＭＦは後で該当ＰＤＵセッションを解除することができる。
【０１５４】
ｂ）ＳＭＦがＬＡＤＮサービス領域内でＵＥが存在する（「ＩＮ」）という通知を受けると、ＳＭＦは：
【０１５５】
−ダウンリンクデータ通知（Downlink Data Notification）が活性化されていることを確認（ensure）する。
【０１５６】
−ＳＭＦがＵＰＦからダウンリンクデータ又はデータ通知（Data Notification）を受信するとき、ＵＰ接続を活性化するようにＬＡＤＮ ＰＤＵセッションのためのネットワークトリガサービス要求手順（Network triggered Service Request procedure）をトリガする。
【０１５７】
ｃ）ＳＭＦがＬＡＤＮサービス領域内のＵＥの存在を知らない（「ＵＮＫＮＯＷＮ」）という通知を受けると、ＳＭＦは：
【０１５８】
−ダウンリンクデータ通知（Downlink Data Notification）が活性化されていることを確認（ensure）する。
【０１５９】
−ＳＭＦがＵＰＦからダウンリンクデータ又はデータ通知（Data Notification）を受信するとき、ＵＰ接続を活性化するようにＬＡＤＮ ＰＤＵセッションのためのネットワークトリガサービス要求手順（Network triggered Service Request procedure）をトリガする。
【０１６０】
ＬＡＤＮ利用方法
【０１６１】
従来技術によると、ＬＡＤＮサービスに加入したＵＥ／ユーザはネットワークから多すぎるＬＡＤＮ情報を受ける可能性がある。すなわち、従来技術によると、ＬＡＤＮ情報の伝達に対する最適化が考慮されていない。
【０１６２】
特に、ＵＥが訪問ネットワーク（visited network）にローミングされた場合、ＵＥが訪問ネットワークにおいて用いるＬＡＤＮサービスを受けるためにはワイルドカードＤＮＮ（wildcard DNN）使用が許可された加入者情報を有する必要がある。ここで、ワイルドカードＤＮＮ（wildcard DNN）使用が許可された加入者情報を有するＵＥは、登録（registration）ごとに／ＬＡＤＮ情報のアップデートが発生する度に、訪問ネットワークから提供する全てのＬＡＤＮ情報を受けるという問題が発生する。
【０１６３】
このような問題を解決するために、本発明においては、ＬＡＤＮ情報伝達の最適化方法を提案する。
【０１６４】
本発明は、下記の構成の１つ以上の組み合わせで共に構成されることができ、下記の実施形態の場合、それぞれの個別構成を示すための実施形態を示しているが、１つ以上の組み合わせが共に構成されている実施形態が可能である。
【０１６５】
図６は、本発明の一実施形態によるＬＡＤＮ情報伝達方法を例示する図である。
【０１６６】
１．ＵＥは、ネットワークに登録過程（例えば、アタッチ（attach）手順又は登録（registration）手順）により、サービングネットワークノード（例えば、ＡＭＦ）から提供されるＬＡＤＮ情報（例えば、ＬＡＤＮ ＤＮＮ及び各ＬＡＤＮ ＤＮＮ別のサービス領域情報）を取得する。ここで、選択的に、ＵＥは一般ＰＤＵセッション（例えば、音声サービス（Voice service）のためのＩＭＳ（IP（Internet Protocol） Multimedia Subsystem）ＰＤＵセッション及び／又はインターネットサービスのためのインターネットＰＤＵセッション）を設定（セットアップ）することにより、該当サービスを受けることができる。
【０１６７】
２．ＬＡＤＮ情報送信の最適化案を実現するために、ＬＡＤＮ発見（discovery）に関するポリシー（policy）が事前にＵＥに事前設定（pre-configuration）される。
【０１６８】
または、ＵＥは、事業者ポリシーを設定／制御／管理するノードであるＰＣＦを介してＬＡＤＮ発見に関するポリシー（又は、ＬＡＤＮ発見要求に関するポリシー）（以下、ＬＡＤＮ ｄｉｓｃｏｖｅｒｙ ｐｏｌｉｃｙ）を受信することができる。
【０１６９】
ここで、ＰＣＦは、第２ａ段階又は第２ｂ段階のように、ＬＡＤＮ ＤＮ／ＡＦ又はＮＥＦの入力に基づいてＬＡＤＮ ｄｉｓｃｏｖｅｒｙ ｐｏｌｉｃｙを生成するか、又は提供するか否かを決定することができる。
【０１７０】
ＬＡＤＮ ｄｉｓｃｏｖｅｒｙ ｐｏｌｉｃｙは、ＰＬＭＮグループの全体を対象に又は事業者が管理する特定単位によって生成される。または、ＵＥポリシー伝達メカニズムにより個別ＵＥに伝達されるため、ＵＥポリシーの多様な種類のうち１つの種類とみなすことができるので、ＬＡＤＮ ｄｉｓｃｏｖｅｒｙ ｐｏｌｉｃｙはＵＥ別単位（granularity）で生成されることもできる。
【０１７１】
このようなＬＡＤＮ ｄｉｓｃｏｖｅｒｙ ｐｏｌｉｃｙは、基本的にＵＥがＬＡＤＮ  ｄｉｓｃｏｖｅｒｙ実行を開始するようにすることを目的として伝達される。従って、ＬＡＤＮ ｄｉｓｃｏｖｅｒｙ ｐｏｌｉｃｙは、該当ＬＡＤＮ ｄｉｓｃｏｖｅｒｙ ｐｏｌｉｃｙが特定地域／特定時間／特定アクセスネットワークにおいて意味のあるポリシーであると評価できる有効性条件（validity condition）を含むことができる。また、より好ましくは、第１段階で従来技術により常に提供されたＬＡＤＮ情報はＵＥに送信されないことがあり得るが、ＬＡＤＮ ｄｉｓｃｏｖｅｒｙ ｐｏｌｉｃｙにより特定時点でＵＥはＬＡＤＮ ｄｉｓｃｏｖｅｒｙを試みてＬＡＤＮ情報を取得することにより、ＬＡＤＮ情報の提供の効率性を向上させることができる。
【０１７２】
さらに、ＬＡＤＮ ｄｉｓｃｏｖｅｒｙ ｐｏｌｉｃｙは、ＵＥがＬＡＤＮ情報取得に失敗した場合、ＬＡＤＮ情報取得を再試行するか否かなどＵＥが行うことのできる動作に対するポリシーも含むことができる。
【０１７３】
上記第２段階でＰＣＦがＵＥにＬＡＤＮ ｄｉｓｃｏｖｅｒｙ ｐｏｌｉｃｙを伝達する方法について下記の図７を参照してより詳細に説明する。
【０１７４】
図７は、本発明の一実施形態によるＬＡＤＮ発見に関するポリシー伝達方法を例示する図である。
【０１７５】
ＬＡＤＮ発見に関するポリシー伝達方法は、ＵＥ設定アップデート手順（UE Configuration Update procedure）で実現されることができる。ＵＥ Ｃｏｎｆｉｇｕｒａｔｉｏｎ Ｕｐｄａｔｅ ｐｒｏｃｅｄｕｒｅは、ＰＣＦがＵＥ設定内のＵＥアクセス及びＰＤＵセッション選択情報（すなわち、ＵＥポリシー）をアップデートすることを希望するときに開始される。
【０１７６】
１ａ．ＡＭＦはＰＣＦからポリシー制御取得応答メッセージ（すなわち、Ｎｐｃｆ＿ＡＭＰｏｌｉｃｙＣｏｎｔｒｏｌＧｅｔ Ｒｅｓｐｏｎｓｅ）を受信する。Ｎｐｃｆ＿ＡＭＰｏｌｉｃｙＣｏｎｔｒｏｌＧｅｔ Ｒｅｓｐｏｎｓｅは、アクセス及びモビリティ関連情報を含むか、ＵＥポリシーコンテナ（すなわち、ＵＥアクセス及びＰＤＵセッション選択関連情報）を含むか、両方ともを含むことができる。また、Ｎｐｃｆ＿ＡＭＰｏｌｉｃｙＣｏｎｔｒｏｌＧｅｔ Ｒｅｓｐｏｎｓｅ（特に、ＵＥポリシーコンテナ）は、本発明によるＬＡＤＮ ｄｉｓｃｏｖｅｒｙ ｐｏｌｉｃｙを含むことができる。
【０１７７】
１ｂ．または、ＡＭＦはＰＣＦからポリシー制御アップデート通知（すなわち、Ｎｐｃｆ＿ＡＭＰｏｌｉｃｙＣｏｎｔｒｏｌ ＵｐｄａｔｅＮｏｔｉｆｙ）を受信する。Ｎｐｃｆ＿ＡＭＰｏｌｉｃｙＣｏｎｔｒｏｌ ＵｐｄａｔｅＮｏｔｉｆｙは、アクセス及びモビリティ関連情報を含むか、ＵＥポリシーコンテナ（すなわち、ＵＥアクセス及びＰＤＵセッション選択関連情報）を含むか、両方ともを含むことができる。また、Ｎｐｃｆ＿ＡＭＰｏｌｉｃｙＣｏｎｔｒｏｌＧｅｔ Ｒｅｓｐｏｎｓｅ（特に、ＵＥポリシーコンテナ）は、本発明によるＬＡＤＮ ｄｉｓｃｏｖｅｒｙ ｐｏｌｉｃｙを含むことができる。
【０１７８】
２．ＵＥがＣＭ−ＩＤＬＥ状態であると、ＡＭＦは、ネットワークトリガサービス要求（Network Triggered Service Request）（３ＧＰＰ ＴＳ２３．５０２ Ｖ１５．１．０ ４．２．３．３参照）手順をトリガする。ＵＥが到達可能（reachable）でないと、ＡＭＦはＰＣＦにＵＥポリシーコンテナがＵＥに伝達できないと報告する。
【０１７９】
それに対して、ＵＥがＣＭ−ＣＯＮＮＥＣＴＥＤ状態であると、ＡＭＦはＰＣＦから受信したＵＥポリシーコンテナをＵＥにトランスペアレントに（transparently）送信する。ＵＥポリシーコンテナは、１つ以上のＰＳＩ（Public Service Identity）が追加、除去、又は修正されたことをＵＥに通知するためにＰＳＩのリストを含む。
【０１８０】
３．ＵＥはＰＳＩ動作を行い、ＡＭＦに結果を送信する。ＡＭＦは、ＵＥから受信した結果をトランスペアレントに（transparently）ＰＣＦに送信する。１つ又は複数のＰＳＵ動作が失敗すると、ＵＥはＵＥポリシーコンテナに保存されているＰＳＩのリストを含める。
【０１８１】
４．ＡＭＦがＵＥポリシーコンテナを受信した場合、そして、ＰＣＦがＵＥポリシーコンテナの受信の通知を受けるように加入した場合、ＡＭＦは、ＵＥの応答をイベント露出メッセージ（すなわち、Ｎａｍｆ＿ＥｖｅｎｔＥｘｐｏｓｕｒｅ）を用いてＰＣＦに伝達する。ここで、Ｎａｍｆ＿ＥｖｅｎｔＥｘｐｏｓｕｒｅは、「ポリシーコンテナが受信される」というイベント識別子（ＥｖｅｎｔＩＤ）及びＵＥポリシーコンテナを含むイベント情報（ＥｖｅｎｔＩｎｆｏｒｍａｔｉｏｎ）を含む。
【０１８２】
５．ＰＣＦはＮａｍｆ＿ＥｖｅｎｔＥｘｐｏｓｕｒｅの受信をＡＭＦに確認（confirm）する。
【０１８３】
再び図６を参照すると、第３段階でＵＥは自分の位置を認知し、第４段階でＬＡＤＮ ｄｉｓｃｏｖｅｒｙ ｐｏｌｉｃｙの有効性条件（Validity condition）を満足すると（すなわち、ＬＡＤＮ情報発見を決定すると）、ＵＥはＡＭＦからＬＡＤＮ情報を受信するための手順（すなわち、第５ａ〜５ｂ段階）を開始する。
【０１８４】
または、ＵＥ／ユーザは、ＵＥがＬＡＤＮ可能なサービス地域に入ったことを認知した後、又はＵＥがＬＡＤＮサービスが提供される時間にＬＡＤＮ可能なサービス地域に入ったことを認知した後、明示的なユーザ相互作用（interaction）により（すなわち、ＬＡＤＮ情報発見を決定することにより）、ＡＭＦからＬＡＤＮ情報を受信するための手順（すなわち、第５ａ〜５ｂ段階）を開始することもできる。
【０１８５】
５ａ．ＵＥはＡＭＦに登録要求（registration request）を送信する。すなわち、ＵＥは、（Ｒ）ＡＮにｒｅｇｉｓｔｒａｔｉｏｎ ｒｅｑｕｅｓｔを含むＡＮ（access network）メッセージを送信する。また、（Ｒ）ＡＮは、ＡＭＦを選択した後、選択されたＡＭＦにｒｅｇｉｓｔｒａｔｉｏｎ ｒｅｑｕｅｓｔを含むＮ２メッセージを送信する。
【０１８６】
ここで、ＵＥは、登録要求（registration request）に追加的に明示的なＬＡＤＮ情報要求を通知するための情報／指示子（又は、フラグ）を含めることができる。
【０１８７】
この段階で、ＵＥは、該当ＡＭＦ（すなわち、第５ａ段階のｒｅｇｉｓｔｒａｔｉｏｎ ｒｅｑｕｅｓｔを受信するＡＭＦ）においてサービスをサポートするＬＡＤＮ情報のみを要求することもでき、又は全体ＰＬＭＮに共通に適用されているＬＡＤＮ情報を要求することもできる。すなわち、ＵＥは、該当ＡＭＦにおいてサービスをサポートするＬＡＤＮ情報のみの要求又はＰＬＭＮに共通に適用されているＬＡＤＮ情報の要求を区分するための区分子をｒｅｇｉｓｔｒａｔｉｏｎ ｒｅｑｕｅｓｔに含めてＡＭＦに送信することができる。
【０１８８】
このように情報を要求する水準は、前記ＬＡＤＮ ｄｉｓｃｏｖｅｒｙ ｐｏｌｉｃｙに選択的に含まれることのできるポリシー／指示に従う。
【０１８９】
また、前述したＬＡＤＮ情報要求を通知するための情報／指示子（又は、フラグ）などの明示的な情報要求ではなく、ＵＥがＬＡＤＮをサポートできる又はユーザがＬＡＤＮ使用に関する選好があるなどの含蓄的な情報伝達によりＵＥはネットワークからＬＡＤＮ情報のプロビジョン（provision）を誘導することができる。
【０１９０】
また、選択的に、ＵＥは、以前に受信した（例えば、以前に登録手順又はＵＥ設定アップデート手順で受信した）ＬＡＤＮ情報のバージョン情報（例えば、ＵＥ別及び／又はＡＭＦ別及び／又はＰＬＭＮ別）をｒｅｇｉｓｔｒａｔｉｏｎ ｒｅｑｕｅｓｔに含めてＡＭＦに送信することができる。このようなバージョン情報を含めることにより、ネットワーク（例えば、ＡＭＦ）がＵＥに該当時点でＬＡＤＮ情報の提供が必要であるか否かを決定することに役に立つ。
【０１９１】
５ｂ．ＵＥは、ＡＭＦから登録受諾（registration accept）を受信する。すなわち、ＡＭＦは、ｒｅｇｉｓｔｒａｔｉｏｎ ｒｅｑｕｅｓｔが受諾されたことを示すためのｒｅｇｉｓｔｒａｔｉｏｎ ａｃｃｅｐｔメッセージをＵＥに送信する。言い換えると、ＡＭＦは、（Ｒ）ＡＮにｒｅｇｉｓｔｒａｔｉｏｎ ａｃｃｅｐｔを含むＮ２メッセージを送信する。また、（Ｒ）ＡＮは、ＵＥにｒｅｇｉｓｔｒａｔｉｏｎ ａｃｃｅｐｔを含むＡＮメッセージを送信する。
【０１９２】
ここで、ｒｅｇｉｓｔｒａｔｉｏｎ ａｃｃｅｐｔはＬＡＤＮ情報を含む。ＬＡＤＮ情報は、登録領域内においてＵＥが利用可能な１つ以上のＬＡＤＮのリストを意味することができる。ＬＡＤＮリストに含まれる各項目（entry）はＬＡＤＮサービス領域情報及びＬＡＤＮ ＤＮＮを含むことができる。
【０１９３】
また、ＵＥがｒｅｇｉｓｔｒａｔｉｏｎ ｒｅｑｕｅｓｔで該当ＡＭＦにおいてサービスをサポートするＬＡＤＮ情報のみを要求した場合、該当ＡＭＦは自分がサービスをサポートするＬＡＤＮサービスに関するＬＡＤＮ情報のみをＵＥに提供することができる。それに対して、ＵＥがｒｅｇｉｓｔｒａｔｉｏｎ ｒｅｑｕｅｓｔでＰＬＭＮに共通に適用されているＬＡＤＮ情報を要求した場合、ＡＭＦはＰＬＭＮに共通に適用されているＬＡＤＮ情報をＵＥに提供することができる。
【０１９４】
また、ＵＥが以前に受信したＬＡＤＮ情報のバージョン情報（例えば、ＵＥ別及び／又はＡＭＦ別及び／又はＰＬＭＮ別）をｒｅｇｉｓｔｒａｔｉｏｎ ｒｅｑｕｅｓｔに含めた場合、ＡＭＦは、受信したバージョン情報に比べてバージョンがアップデートされたＬＡＤＮ情報のみを抽出し、ＵＥに提供することができる。
【０１９５】
前述した第５ａ〜５ｂ段階は、３ＧＰＰ ＴＳ ２３．５０２ Ｖ１５．１．０ ４．２．２．２で定義された登録手順（registration procedure）によって実現されることができ、上記の登録手順（registration procedure）によって図６に示されていない他の段階も行われることができる。
【０１９６】
６．ＵＥは、ＵＥ開始ＰＤＵセッション確立手順（UE-initiated PDU session establishment procedure）を行うことにより該当ＬＡＤＮサービスのためのＰＤＵセッションを設定／確立する。
【０１９７】
ＵＥは、予め設定されたＬＡＤＮ接続許容情報に基づいて、ユーザ相互作用（interaction）なしにＰＤＵセッションセットアップを要求する手順（すなわち、UE-initiated PDU session establishment procedure）を開始することができる。
【０１９８】
または、事業者の設定／ポリシーに従ってＵＥはユーザから実際の接続／サービス開始に関する明示的な入力を受けるためのポップアップウィンドウを表示する。また、ユーザから実際の接続／サービス開始に関する入力を受けると、ＵＥは、ＵＥ開始ＰＤＵセッション確立手順（UE-initiated PDU session establishment procedure）を行うことにより該当ＬＡＤＮサービスのためのＰＤＵセッションを設定／確立する。ここで、ＵＥは、ユーザからＬＡＤＮ関連アプリケーションによりアプリケーションレベルでこのような明示的入力を受けることもできる。
【０１９９】
図８は、本発明の一実施形態によるＬＡＤＮ利用方法を例示する図である。
【０２００】
図８に示すように、ＵＥは、ＬＡＤＮ発見（discovery）に関するポリシーを設定することができる（Ｓ８０１）。
【０２０１】
ここで、ＬＡＤＮ発見（discovery）に関するポリシーはＵＥに事前設定（pre-configured）される。または、ＰＣＦにより生成されたＬＡＤＮ発見（discovery）に関するポリシーをＡＭＦから受信することにより設定することもできる。
【０２０２】
また、ＬＡＤＮ発見（discovery）に関するポリシーはＵＥ別に独立して決定（生成）されることができる。
【０２０３】
ＵＥは、ＡＭＦに登録要求（registration request）を送信する（Ｓ８０２）。登録要求は、ＬＡＤＮサービスに関するＬＡＤＮ情報の要求を通知するための情報を含む。
【０２０４】
また、前記登録要求は、前記ＡＭＦにおいてサービスをサポートするＬＡＤＮ情報のみの要求又はＰＬＭＮ（Public Land Mobile Network）に共通に適用されているＬＡＤＮ情報の要求を区分するための区分子及び／又は以前に受信したＬＡＤＮ情報のバージョン情報をさらに含むことができる。
【０２０５】
さらに、段階Ｓ８０１のようにＬＡＤＮ発見に関するポリシーが設定された場合、ＬＡＤＮ発見に関するポリシーに基づいてＵＥがＬＡＤＮ情報の発見を決定するとき、ＡＭＦに登録要求を送信することができる。例えば、ＬＡＤＮ発見（discovery）に関するポリシー内に含まれた有効性条件（validity condition）が満足されるか、又は前記ＵＥが（ＬＡＤＮサービスが提供される時間に）ＬＡＤＮサービス領域内に進入したことを認知するとき、ＵＥはＬＡＤＮ情報の発見を決定することができる。
【０２０６】
ＵＥは、ＡＭＦから登録要求が受諾されたことを通知するための登録受諾（registration accept）を受信する（Ｓ８０３）。登録受諾は、ＬＡＤＮ情報を含む。
【０２０７】
ここで、登録要求に区分子が含まれた場合、区分子に基づいて登録受諾は、ＡＭＦにおいてサービスをサポートするＬＡＤＮ情報のみを含む又はＰＬＭＮに共通に適用されているＬＡＤＮ情報を含むことができる。
【０２０８】
また、登録要求にＬＡＤＮ情報のバージョン情報が含まれた場合、ＬＡＤＮ情報のバージョン情報に基づいて登録受諾は、ＬＡＤＮ情報のバージョン情報に比べてバージョンがアップデートされたＬＡＤＮ情報のみを含むこともできる。
【０２０９】
ＵＥは、ＰＤＵセッション確立手順（PDU session establishment procedure）を行うことにより前記ＬＡＤＮサービスのためのＰＤＵセッションを確立する（Ｓ８０４）。
【０２１０】
図９は、本発明の一実施形態によるユーザ装置のブロック構成図を例示する。
【０２１１】
図９に示すように、ユーザ装置は、ＬＡＤＮポリシー設定部９０１、登録管理部９０２、ＬＡＤＮ情報管理部９０３、ＰＤＵセッション管理部９０４を含む。
【０２１２】
ＬＡＤＮポリシー設定部９０１は、ＬＡＤＮ発見（discovery）に関するポリシーを設定する。
【０２１３】
ここで、ＬＡＤＮ発見（discovery）に関するポリシーは、ＵＥに事前設定（pre-configured）される。または、ＰＣＦにより生成されたＬＡＤＮ発見（discovery）に関するポリシーをＡＭＦから受信することにより設定することもできる。
【０２１４】
また、ＬＡＤＮ発見（discovery）に関するポリシーはＵＥ別に独立して決定（生成）されることができる。
【０２１５】
登録管理部９０２は、登録要求（registration request）をＡＭＦに送信する。ここで、登録要求は、ＬＡＤＮサービスに関するＬＡＤＮ情報の要求を通知するための情報を含む。
【０２１６】
また、前記登録要求は、前記ＡＭＦにおいてサービスをサポートするＬＡＤＮ情報のみの要求又はＰＬＭＮ（Public Land Mobile Network）に共通に適用されているＬＡＤＮ情報の要求を区分するための区分子及び／又は以前に受信したＬＡＤＮ情報のバージョン情報をさらに含むことができる。
【０２１７】
また、前述したように、ＬＡＤＮポリシー設定部９０１によりＬＡＤＮ発見に対するポリシーが設定された場合、ＬＡＤＮポリシー設定部９０１がＬＡＤＮ発見に関するポリシーに基づいてＵＥがＬＡＤＮ情報の発見を決定するとき、登録管理部９０２は、ＡＭＦに登録要求を送信することができる。例えば、ＬＡＤＮポリシー設定部９０１がＬＡＤＮ発見（discovery）に関するポリシー内に含まれた有効性条件（validity condition）が満足されるか、又は前記ＵＥが（ＬＡＤＮサービスが提供される時間に）ＬＡＤＮサービス領域内に進入したことを認知するとき、登録管理部９０２は、ＬＡＤＮ情報の発見を決定することができる。
【０２１８】
また、登録管理部９０２は、ＡＭＦから登録要求が受諾されたことを通知するための登録受諾（registration accept）を受信する。登録受諾はＬＡＤＮ情報を含む。
【０２１９】
ここで、登録要求に区分子が含まれた場合、区分子に基づいて登録受諾はＡＭＦにおいてサービスをサポートするＬＡＤＮ情報のみを含む又はＰＬＭＮに共通に適用されているＬＡＤＮ情報を含むことができる。
【０２２０】
また、登録要求にＬＡＤＮ情報のバージョン情報が含まれた場合、ＬＡＤＮ情報のバージョン情報に基づいて登録受諾は、ＬＡＤＮ情報のバージョン情報に比べてバージョンがアップデートされたＬＡＤＮ情報のみを含むことができる。
【０２２１】
ＬＡＤＮ情報管理部９０３は、登録管理部９０２を介して取得したＬＡＤＮ情報を管理する。
【０２２２】
その後、ＰＤＵセッション管理部９０４は、ＰＤＵセッション確立手順（PDU session establishment procedure）を行う。
【０２２３】
ここで、ＰＤＵセッション管理部９０４は、ＬＡＤＮ情報管理部９０３と連動することにより、ＬＡＤＮサービスのためのＰＤＵセッションを確立することができる。
【０２２４】
図１０は、本発明の一実施形態によるユーザ装置のブロック構成図を例示する。
【０２２５】
図１０に示すように、ユーザ装置１０１０は、プロセッサ１０１１、メモリ１０１２、及び送受信機（transceiver）（又は、ＲＦ（radio frequency）ユニット）１０１３を含む。
【０２２６】
プロセッサ１０１１は、以上の図１〜図８において提案された機能、過程及び／又は方法を実現する。特に、図９に例示されたユーザ装置の各構成要素はプロセッサ１０１１に含まれてもよい。有線／無線インタフェースプロトコルの層はプロセッサ１０１１により実現されることができる。メモリ１０１２は、プロセッサ１０１１に接続され、プロセッサ１０１１を駆動するための様々な情報を保存する。送受信機１０１３は、プロセッサ１０１１に接続され、無線信号を送信及び／又は受信する。
【０２２７】
メモリ１０１２は、プロセッサ１０１１の内部又は外部に位置し、周知の様々な手段でプロセッサ１０１１に接続されることができる。
【０２２８】
特に、本発明によると、プロセッサ１０１１は、ＬＡＤＮ発見（discovery）に関するポリシーを設定することができる。
【０２２９】
ここで、ＬＡＤＮ発見（discovery）に関するポリシーは、メモリ１０１２内に事前設定（pre-configured）される。または、プロセッサ１０１１は、ＰＣＦにより生成されたＬＡＤＮ発見（discovery）に関するポリシーを送受信機（transceiver）１０１３を介してＡＭＦから受信することができる。
【０２３０】
また、ＬＡＤＮ発見（discovery）に関するポリシーは、ＵＥ別に独立して決定（生成）されることができる。
【０２３１】
さらに、プロセッサ１０１１は、送受信機（transceiver）１０１３を介してＡＭＦに登録要求（registration request）を送信する。登録要求は、ＬＡＤＮサービスに関するＬＡＤＮ情報の要求を通知するための情報を含む。
【０２３２】
また、前記登録要求は、前記ＡＭＦにおいてサービスをサポートするＬＡＤＮ情報のみの要求又はＰＬＭＮ（Public Land Mobile Network）に共通に適用されているＬＡＤＮ情報の要求を区分するための区分子及び／又は以前に受信したＬＡＤＮ情報のバージョン情報をさらに含むことができる。
【０２３３】
また、前述したように、ＬＡＤＮ発見に関するポリシーが設定された場合、プロセッサ１０１１がＬＡＤＮ発見に関するポリシーに基づいてＬＡＤＮ情報の発見を決定するとき、送受信機（transceiver）１０１３を介してＡＭＦに登録要求を送信することができる。例えば、ＬＡＤＮ発見（discovery）に関するポリシー内に含まれた有効性条件（validity condition）が満足される、又はＵＥが（ＬＡＤＮサービスが提供される時間に）ＬＡＤＮサービス領域内に進入したことを認知するとき、プロセッサ１０１１はＬＡＤＮ情報の発見を決定することができる。
【０２３４】
また、プロセッサ１０１１は、送受信機（transceiver）１０１３を介してＡＭＦから登録要求が受諾されたことを通知するための登録受諾（registration accept）を受信する。登録受諾はＬＡＤＮ情報を含む。
【０２３５】
ここで、登録要求に区分子が含まれた場合、区分子に基づいて登録受諾はＡＭＦにおいてサービスをサポートするＬＡＤＮ情報のみを含む又はＰＬＭＮに共通に適用されているＬＡＤＮ情報を含むことができる。
【０２３６】
また、登録要求にＬＡＤＮ情報のバージョン情報が含まれた場合、ＬＡＤＮ情報のバージョン情報に基づいて登録受諾はＬＡＤＮ情報のバージョン情報に比べてバージョンがアップデートされたＬＡＤＮ情報のみを含むこともできる。
【０２３７】
さらに、プロセッサ１０１１は、ＰＤＵセッション確立手順（PDU session establishment procedure）を行うことによりＬＡＤＮサービスのためのＰＤＵセッションを確立する。
【０２３８】
図１１は、本発明の一実施形態によるＬＡＤＮ利用方法を例示する図である。
【０２３９】
図１１に示すように、ＡＭＦはＰＣＦから受信したＬＡＤＮ発見に関するポリシーをＵＥに送信することができる（Ｓ１１０１）。
【０２４０】
ここで、ＬＡＤＮ発見（discovery）に関するポリシーはＵＥ別に独立して決定（生成）されることができる。
【０２４１】
ＡＭＦは、ＵＥから登録要求（registration request）を受信する（Ｓ１１０２）。登録要求は、ＬＡＤＮサービスに関するＬＡＤＮ情報の要求を通知するための情報を含む。
【０２４２】
ＡＭＦは、登録要求内に前記ＡＭＦにおいてサービスをサポートするＬＡＤＮ情報のみの要求又はＰＬＭＮ（Public Land Mobile Network）に共通に適用されているＬＡＤＮ情報の要求を区分するための区分子及び／又は以前に受信したＬＡＤＮ情報のバージョン情報が含まれているか否かを確認する（Ｓ１１０３）。
【０２４３】
もし、段階Ｓ１１０３で判断した結果、区分子及び／又はバージョン情報が登録要求内に含まれていない場合、ＡＭＦは、従来技術の登録手順を行った後、登録要求が受諾されたことを通知するための登録受諾（registration accept）をＵＥに送信する（Ｓ１１０５）。登録受諾はＬＡＤＮ情報を含む。この場合、例えば、ＬＡＤＮ情報は従来技術によってＡＭＦがＵＥに送信したＬＡＤＮ情報に該当することがある。
【０２４４】
それに対して、段階Ｓ１１０３で判断した結果、区分子及び／又はバージョン情報が登録要求内に含まれた場合、ＡＭＦは、従来技術の登録手順だけでなく、追加的に区分子及び／又はバージョン情報に基づいて送信するＬＡＤＮ情報を決定する（Ｓ１１０４）。
【０２４５】
ここで、登録要求に区分子が含まれた場合、区分子に基づいてＡＭＦはＡＭＦにおいてサービスをサポートするＬＡＤＮ情報のみを登録受諾に含める、又はＰＬＭＮに共通に適用されているＬＡＤＮ情報を登録受諾に含めることができる。
【０２４６】
また、登録要求にＬＡＤＮ情報のバージョン情報が含まれた場合、ＡＭＦはＬＡＤＮ情報のバージョン情報に基づいて受信したＬＡＤＮ情報のバージョン情報に比べてバージョンがアップデートされたＬＡＤＮ情報のみを含めることもできる。
【０２４７】
さらに、登録要求に区分子及びＬＡＤＮ情報のバージョン情報が両方とも含まれた場合、ＡＭＦは次のように動作する。もし、区分子がＡＭＦにおいてサービスをサポートするＬＡＤＮ情報のみの要求を示すと、ＡＭＦは、ＡＭＦにおいてサービスをサポートするＬＡＤＮ情報のうち受信したＬＡＤＮ情報のバージョン情報に比べてバージョンがアップデートされたＬＡＤＮ情報のみを登録受諾に含めることができる。または、区分子がＰＬＭＮに共通に適用されているＬＡＤＮ情報の要求を示すと、ＡＭＦは、ＰＬＭＮに共通に適用されているＬＡＤＮ情報のうち受信したＬＡＤＮ情報のバージョン情報に比べてバージョンがアップデートされたＬＡＤＮ情報のみを登録受諾に含めることができる。
【０２４８】
図１２は、本発明の一実施形態によるネットワークノードのブロック構成図を例示する。
【０２４９】
図１２に示すように、ネットワークノードは、ＬＡＤＮポリシー管理部１２０１、登録管理部１２０２、ＬＡＤＮ情報管理部１２０３を含む。
【０２５０】
ＬＡＤＮポリシー管理部１２０１は、ＰＣＦから受信したＬＡＤＮ発見に関するポリシーを管理し、登録管理部１２０２を介してＬＡＤＮ発見に関するポリシーをＵＥに送信する。
【０２５１】
ここで、ＬＡＤＮ発見（discovery）に関するポリシーはＵＥ別に独立して決定（生成）されることができる。
【０２５２】
登録管理部１２０２は、ＵＥから登録要求（registration request）を受信する。登録要求は、ＬＡＤＮサービスに関するＬＡＤＮ情報の要求を通知するための情報を含む。
【０２５３】
ＬＡＤＮ情報管理部１２０３は、登録要求内に前記ＡＭＦにおいてサービスをサポートするＬＡＤＮ情報のみの要求又はＰＬＭＮ（Public Land Mobile Network）に共通に適用されているＬＡＤＮ情報の要求を区分するための区分子及び／又は以前に受信したＬＡＤＮ情報のバージョン情報が含まれているか否かを確認する。
【０２５４】
区分子及び／又はバージョン情報が登録要求内に含まれない場合、ＬＡＤＮ情報管理部１２０３は、従来技術によってＡＭＦがＵＥに送信したＬＡＤＮ情報を登録管理部１２０２に伝達することができる。
【０２５５】
それに対して、区分子及び／又はバージョン情報が登録要求内に含まれた場合、ＬＡＤＮ情報管理部１２０３は、区分子及び／又はバージョン情報に基づいて送信するＬＡＤＮ情報を決定する。
【０２５６】
登録要求に区分子が含まれた場合、区分子に基づいてＬＡＤＮ情報管理部１２０３は、ＡＭＦにおいてサービスをサポートするＬＡＤＮ情報のみを登録管理部１２０２に伝達する、又はＰＬＭＮに共通に適用されているＬＡＤＮ情報を登録管理部１２０２に伝達することができる。
【０２５７】
また、登録要求にＬＡＤＮ情報のバージョン情報が含まれた場合、ＬＡＤＮ情報管理部１２０３はＬＡＤＮ情報のバージョン情報に基づいて受信したＬＡＤＮ情報のバージョン情報に比べてバージョンがアップデートされたＬＡＤＮ情報のみを登録管理部１２０２に伝達することができる。
【０２５８】
また、登録要求に区分子及びＬＡＤＮ情報のバージョン情報が両方とも含まれた場合、ＬＡＤＮ情報管理部１２０３は次のように動作する。もし、区分子がＡＭＦにおいてサービスをサポートするＬＡＤＮ情報のみの要求を示すと、ＬＡＤＮ情報管理部１２０３は、ＡＭＦにおいてサービスをサポートするＬＡＤＮ情報から受信したＬＡＤＮ情報のバージョン情報に比べてバージョンがアップデートされたＬＡＤＮ情報のみを登録管理部１２０２に伝達することができる。または、区分子がＰＬＭＮに共通に適用されているＬＡＤＮ情報の要求を示すと、ＬＡＤＮ情報管理部１２０３は、ＰＬＭＮに共通に適用されているＬＡＤＮ情報から受信したＬＡＤＮ情報のバージョン情報に比べてバージョンがアップデートされたＬＡＤＮ情報のみ登録管理部１２０２に伝達することができる。
【０２５９】
登録管理部１２０２は、ＬＡＤＮ情報管理部１２０３から伝達されたＬＡＤＮ情報を含む登録要求が受諾されたことを通知するための登録受諾（registration accept）をＵＥに送信する。
【０２６０】
図１３は、本発明の一実施形態によるネットワークノードのブロック構成図を例示する。
【０２６１】
図１３に示すように、ネットワークノード１３１０は、プロセッサ１３１１、メモリ１３１２、及び送受信機（transceiver）１３１３を含む。
【０２６２】
プロセッサ１３１１は、図１〜図８、図１１及び図１２で提案された機能、過程及び／又は方法を実現する。特に、図１２において例示されたネットワークノードの各構成要素はプロセッサ１３１１に含まれてもよい。有線／無線インタフェースプロトコルの層は、プロセッサ１３１１により実現されることができる。メモリ１３１２は、プロセッサ１３１１に接続されて、プロセッサ１３１１を駆動するための様々な情報を保存する。送受信機１３１３は、プロセッサ１３１１に接続されて、無線信号を送信及び／又は受信する。
【０２６３】
メモリ１３１２は、プロセッサ１３１１の内部又は外部に位置してもよく、周知の様々な手段でプロセッサ１３１１に接続されてもよい
【０２６４】
ネットワークノード１３１０の一例として、図１において例示されたネットワークエンティティ（例えば、ＡＭＦ、ＳＭＦ、（Ｒ）ＡＮ、ＵＰＦ、ＰＣＦなど）が該当する。
【０２６５】
特に、ネットワークノード１３１０がＡＭＦである場合、本発明によると、プロセッサ１３１１は、送受信機１３１３を介してＰＣＦから受信したＬＡＤＮ発見に関するポリシーを送受信機１３１３を介してＵＥに送信することができる。
【０２６６】
ここで、ＬＡＤＮ発見（discovery）に関するポリシーはＵＥ別に独立して決定（生成）されることができる。
【０２６７】
また、ネットワークノード１３１０がＡＭＦである場合、プロセッサ１３１１は、送受信機１３１３を介してＵＥから登録要求（registration request）を受信する。登録要求は、ＬＡＤＮサービスに関するＬＡＤＮ情報の要求を通知するための情報を含む。
【０２６８】
ＡＭＦは、登録要求内に前記ＡＭＦにおいてサービスをサポートするＬＡＤＮ情報のみの要求又はＰＬＭＮ（Public Land Mobile Network）に共通に適用されているＬＡＤＮ情報の要求を区分するための区分子及び／又は以前に受信したＬＡＤＮ情報のバージョン情報が含まれているか否かを確認する。
【０２６９】
また、ネットワークノード１３１０がＡＭＦである場合、プロセッサ１３１１は、登録要求が受諾されたことを通知するための登録受諾（registration accept）を送受信機１３１３を介してＵＥに送信する。
【０２７０】
プロセッサ１３１１は、区分子及び／又はバージョン情報が登録要求内に含まれていない場合、登録受諾はＬＡＤＮ情報を含めて送信する。この場合、例えば、ＬＡＤＮ情報は、従来技術によってＡＭＦがＵＥに送信したＬＡＤＮ情報に該当する。
【０２７１】
それに対して、区分子及び／又はバージョン情報が登録要求内に含まれた場合、プロセッサ１３１１は、区分子及び／又はバージョン情報に基づいて送信するＬＡＤＮ情報を決定する。
【０２７２】
ここで、もし、登録要求に区分子が含まれている場合、プロセッサ１３１１は、区分子に基づいてＡＭＦにおいてサービスをサポートするＬＡＤＮ情報のみを登録受諾に含める、又はＰＬＭＮに共通に適用されているＬＡＤＮ情報を登録受諾に含めることができる。
【０２７３】
また、登録要求にＬＡＤＮ情報のバージョン情報が含まれている場合、プロセッサ１３１１は、ＬＡＤＮ情報のバージョン情報に基づいてＬＡＤＮ情報のバージョン情報に比べてバージョンがアップデートされたＬＡＤＮ情報のみを登録受諾に含めることができる。
【０２７４】
さらに、登録要求に区分子及びＬＡＤＮ情報のバージョン情報が両方とも含まれる場合、プロセッサ１３１１は次のように動作する。もし、区分子がＡＭＦにおいてサービスをサポートするＬＡＤＮ情報のみの要求を示すと、プロセッサ１３１１は、ＡＭＦにおいてサービスをサポートするＬＡＤＮ情報のうち受信したＬＡＤＮ情報のバージョン情報に比べてバージョンがアップデートされたＬＡＤＮ情報のみを登録受諾に含めることができる。または、区分子がＰＬＭＮに共通に適用されているＬＡＤＮ情報の要求を示すと、プロセッサ１３１１は、ＰＬＭＮに共通に適用されているＬＡＤＮ情報のうち受信したＬＡＤＮ情報のバージョン情報に比べてバージョンがアップデートされたＬＡＤＮ情報のみを登録受諾に含めることができる。
【０２７５】
以下、本明細書で提案するＵＥ及びＡＭＦの動作方法と、ＵＥ及びＡＭＦにおいて該当方法が実現される内容について説明する。
【０２７６】
まず、本明細書で提案する方法を行うＵＥ動作方法について説明する。
【０２７７】
すなわち、ＵＥは、無線通信システムにおいてローカルエリアデータネットワーク（ＬＡＤＮ：Local Area Data Network）のためのプロトコルデータユニット（ＰＤＵ：Protocol Data Unit）セッションを確立するために次の手順で動作する。
【０２７８】
ＵＥは、アクセス及びモビリティ管理機能（ＡＭＦ：Access and Mobility Management Function）に登録要求（registration request）メッセージを送信する。
【０２７９】
前記登録要求メッセージは、前記ＡＭＦにＬＡＤＮ情報を要求することに関するＬＡＤＮ要求情報を含むことができる。
【０２８０】
また、ＵＥは、前記ＡＭＦから前記ＬＡＤＮ情報を含む登録受諾（registration accept）メッセージを受信する。
【０２８１】
前記ＬＡＤＮ情報は、前記ＵＥに利用できる少なくとも１つのＬＡＤＮと関連することがある。
【０２８２】
また、前記ＵＥは、前記ＡＭＦから受信されたＬＡＤＮ情報に基づいて前記少なくとも１つのＬＡＤＮに対するＰＤＵセッション確立要求（PDU session establishment request）を前記ＡＭＦに送信する。
【０２８３】
前記ＬＡＤＮ情報は、登録領域において前記ＵＥに利用できる１つ以上のＬＡＤＮのリストを参照し、前記１つ以上のＬＡＤＮのリスト内の各エントリは、ＬＡＤＮに対するサービス領域及び前記ＬＡＤＮに対する少なくとも１つのデータネットワーク名（ＤＮＮ）に関する情報を含むことができる。
【０２８４】
前記登録要求メッセージ内の前記ＬＡＤＮ要求情報は、前記ＡＭＦにおいて前記ＵＥに対するＬＡＤＮサービスをサポートする少なくとも１つのＬＡＤＮを特定し、前記ＡＭＦにおいて前記ＵＥに対する前記ＬＡＤＮサービスをサポートする少なくとも１つのＬＡＤＮを特定する前記ＬＡＤＮ要求情報に基づくことができる。
【０２８５】
また、前記ＡＭＦから受信されたＬＡＤＮ情報の１つ以上のＬＡＤＮのリストは、前記ＡＭＦにおいてＵＥに対するＬＡＤＮサービスをサポートする少なくとも１つのＬＡＤＮのリストであり得る。
【０２８６】
さらに、前記ＵＥは、予め設定されたＬＡＤＮ接続許可（connection permission）情報に基づいてＰＤＵセッション確立を要求するための手順を開始する段階をさらに行うことができる。
【０２８７】
さらに、前記ＵＥは、前記ＵＥが前記ＬＡＤＮにおいて用いられるＬＡＤＮサービスを受信できるように許可するワイルドカードＤＮＮに関する加入情報を決定する段階をさらに含んでもよい。
【０２８８】
ここで、前記登録要求メッセージを送信する段階は、前記ＵＥがＣＭ＿ＣＯＮＮＥＣＴＥＤ状態にあることに基づいて、前記登録要求メッセージを送信する段階を含んでもよい。
【０２８９】
また、前記登録要求メッセージを送信する段階は、前記ＵＥがＲＲＣ状態を変更することに基づいて、そして、ＲＲＣ状態報告が行われなければならないか否かを示す情報に基づいて前記登録要求メッセージを送信する段階を含んでもよい。
【０２９０】
次に、本明細書で提案する方法がＵＥにおいて実現される内容について説明する。
【０２９１】
無線通信システムにおいて、ローカルエリアデータネットワーク（ＬＡＤＮ：Local Area Data Network）のためのプロトコルデータユニット（ＰＤＵ：Protocol Data Unit）セッションを確立するためにＵＥは少なくとも１つの無線周波数（ＲＦ）モジュール、少なくとも１つのプロセッサ及び前記少なくとも１つのプロセッサに動作可能に接続することができ、実行されるとき、前記少なくとも１つのプロセッサが動作を行うようにする指示を保存する少なくとも１つのコンピュータメモリを含んでもよい。
【０２９２】
ここで、前記動作は、アクセス及びモビリティ管理機能（ＡＭＦ：Access and Mobility Management Function）に登録要求（registration request）メッセージを送信するが、前記登録要求メッセージは、前記ＡＭＦにＬＡＤＮ情報を要求することと関連したＬＡＤＮ要求情報を含む段階と、前記ＡＭＦから前記ＬＡＤＮ情報を含む登録受諾（registration accept）メッセージを受信するが、前記ＬＡＤＮ情報は前記ＵＥに利用できる少なくとも１つのＬＡＤＮと関連する段階と、前記ＡＭＦから受信されたＬＡＤＮ情報に基づいて前記少なくとも１つのＬＡＤＮに対するＰＤＵセッション確立要求（PDU session establishment request）を前記ＡＭＦに送信する段階を含む。
【０２９３】
前記ＬＡＤＮ情報は、登録領域において前記ＵＥに利用できる１つ以上のＬＡＤＮのリストを参照し、前記１つ以上のＬＡＤＮのリスト内の各エントリは、ＬＡＤＮに対するサービス領域及び前記ＬＡＤＮに対する少なくとも１つのデータネットワーク名（ＤＮＮ）に関する情報を含む。
【０２９４】
前記登録要求メッセージ内の前記ＬＡＤＮ要求情報は、前記ＡＭＦにおいて前記ＵＥに対するＬＡＤＮサービスをサポートする少なくとも１つのＬＡＤＮを特定し、前記ＡＭＦにおいて前記ＵＥに対する前記ＬＡＤＮサービスをサポートする少なくとも１つのＬＡＤＮを特定する前記ＬＡＤＮ要求情報に基づくことができる。
【０２９５】
また、前記ＡＭＦから受信されたＬＡＤＮ情報の１つ以上のＬＡＤＮのリストは、前記ＡＭＦにおいてＵＥに対するＬＡＤＮサービスをサポートする少なくとも１つのＬＡＤＮのリストであり得る。
【０２９６】
前記動作は、予め設定されたＬＡＤＮ接続許可（connection permission）情報に基づいてＰＤＵセッション確立を要求するための手順を開始する段階をさらに含んでもよい。
【０２９７】
さらに、前記動作は、前記ＵＥが前記ＬＡＤＮにおいて用いられるＬＡＤＮサービスを受信できるように許可するワイルドカードＤＮＮに関する加入情報を決定する段階をさらに含んでもよい。
【０２９８】
次に、本明細書で提案する方法を行うＡＭＦ動作方法について説明する。
【０２９９】
すなわち、ＡＭＦは、無線通信システムにおいてユーザ装置（ＵＥ）のためのローカルエリアデータネットワーク（ＬＡＤＮ）のためのプロトコルデータユニット（ＰＤＵ）セッションを確立するために次の手順で動作することができる。
【０３００】
まず、ＡＭＦは、前記ＡＭＦからＬＡＤＮ情報を要求することと関連したＬＡＤＮ要求情報を含む登録要求メッセージを前記ＵＥから受信する。
【０３０１】
また、前記ＡＭＦは、前記ＵＥに前記ＬＡＤＮ情報を含む登録受諾メッセージを送信する。
【０３０２】
前記ＬＡＤＮ情報は、前記ＵＥに利用できる少なくとも１つのＬＡＤＮに関連する。
【０３０３】
また、前記ＡＭＦは、前記ＡＭＦから受信した前記ＬＡＤＮ情報に基づいて前記ＵＥに前記少なくとも１つのＬＡＤＮに対するＰＤＵセッション確立要求を受信する。
【０３０４】
前記ＬＡＤＮ情報は、登録領域において前記ＵＥに利用できる１つ以上のＬＡＤＮのリストを参照し、前記１つ以上のＬＡＤＮのリスト内の各エントリはＬＡＤＮに対するサービス領域及び前記ＬＡＤＮに対する少なくとも１つのデータネットワーク名（ＤＮＮ）に関する情報を含む。
【０３０５】
前記登録要求メッセージ内の前記ＬＡＤＮ要求情報は、前記ＡＭＦにおいて前記ＵＥに対するＬＡＤＮサービスをサポートする少なくとも１つのＬＡＤＮを特定し、前記ＡＭＦにおいて前記ＵＥに対する前記ＬＡＤＮサービスをサポートする少なくとも１つのＬＡＤＮを特定する前記ＬＡＤＮ要求情報に基づくことができる。
【０３０６】
また、前記ＵＥに送信されるＬＡＤＮ情報の１つ以上のＬＡＤＮのリストは前記ＡＭＦにおいて前記ＵＥに対するＬＡＤＮサービスをサポートする少なくとも１つのＬＡＤＮのリストであり得る。
【０３０７】
以下、本明細書で提案する方法がＡＭＦにおいて実現される内容について説明する。
【０３０８】
無線通信システムにおいて、ユーザ装置（ＵＥ）のためのローカルエリアデータネットワーク（ＬＡＤＮ：Local Area Data Network）のためのプロトコルデータユニット（ＰＤＵ：Protocol Data Unit）セッションを確立するために、ＡＭＦは、少なくとも１つの無線周波数（ＲＦ）モジュール、少なくとも１つのプロセッサ、及び前記少なくとも１つのプロセッサに動作可能に接続することができ、実行されるときに前記少なくとも１つのプロセッサが動作を行うようにする指示を保存する少なくとも１つのコンピュータメモリを含んでもよい。
【０３０９】
前記動作は、前記ＡＭＦからＬＡＤＮ情報を要求することと関連したＬＡＤＮ要求情報を含む登録要求メッセージを前記ＵＥから受信する段階と、前記ＵＥに前記ＬＡＤＮ情報を含む登録受諾メッセージを送信する段階であって、前記ＬＡＤＮ情報は前記ＵＥに利用できる少なくとも１つのＬＡＤＮに関連する、段階と、前記ＡＭＦから受信した前記ＬＡＤＮ情報に基づいて前記ＵＥに前記少なくとも１つのＬＡＤＮに対するＰＤＵセッション確立要求を受信する段階を含む。
【０３１０】
前記ＬＡＤＮ情報は、登録領域において前記ＵＥに利用できる１つ以上のＬＡＤＮのリストを参照し、前記１つ以上のＬＡＤＮのリスト内の各エントリは、ＬＡＤＮに対するサービス領域及び前記ＬＡＤＮに対する少なくとも１つのデータネットワーク名（ＤＮＮ）に関する情報を含む。
【０３１１】
前記登録要求メッセージ内の前記ＬＡＤＮ要求情報は、前記ＡＭＦにおいて前記ＵＥに対するＬＡＤＮサービスをサポートする少なくとも１つのＬＡＤＮを特定し、前記ＡＭＦにおいて前記ＵＥに対する前記ＬＡＤＮサービスをサポートする少なくとも１つのＬＡＤＮを特定する前記ＬＡＤＮ要求情報に基づくことができる。
【０３１２】
また、前記ＵＥに送信されるＬＡＤＮ情報の１つ以上のＬＡＤＮのリストは、前記ＡＭＦにおいて前記ＵＥに対するＬＡＤＮサービスをサポートする少なくとも１つのＬＡＤＮのリストであり得る。
【０３１３】
以上で説明された実施形態は本発明の構成要素と特徴が所定の形態に結合されたものである。各構成要素または特徴は別途の明示的な言及がない限り、選択的なものとして考慮されなければならない。各構成要素または特徴は他の構成要素や特徴と結合されない形態に実施できる。また、一部の構成要素及び／又は特徴を結合して本発明の実施形態を構成することも可能である。本発明の実施形態で説明される動作の順序は変更できる。ある実施形態の一部の構成や特徴は他の実施形態に含まれることができ、または他の実施形態の対応する構成または特徴と取り替えられる。特許請求の範囲で明示的な引用関係がない請求項を結合して実施形態を構成するか、または出願後の補正により新たな請求項に含めることができることは自明である。
【０３１４】
本発明に従う実施形態は、多様な手段、例えば、ハードウェア、ファームウェア（firmware）、ソフトウェア、またはそれらの結合などにより実現できる。ハードウェアによる実現の場合、本発明の一実施形態は１つまたはそれ以上のＡＳＩＣｓ（application specific integrated circuits）、ＤＳＰｓ（digital signal processors）、ＤＳＰＤｓ（digital signal processing devices）、ＰＬＤｓ（programmable logic devices）、ＦＰＧＡｓ（field programmable gate arrays）、プロセッサ、コントローラ、マイクロコントローラ、マイクロプロセッサなどにより実現できる。
【０３１５】
ファームウェアやソフトウェアによる実現の場合、本発明の一実施形態は以上で説明された機能または動作を行うモジュール、手続、関数などの形態で実現できる。ソフトウェアコードはメモリに格納されてプロセッサにより駆動できる。前記メモリは前記プロセッサの内部または外部に位置し、既に公知の多様な手段により前記プロセッサとデータをやり取りすることができる。
【０３１６】
本発明は本発明の必須の特徴を逸脱しない範囲で他の特定の形態に具体化できることは通常の技術者に自明である。したがって、前述した詳細な説明は全ての面で制限的に解析されてはならず、例示的なものとして考慮されなければならない。本発明の範囲は添付した請求項の合理的な解析により決定されなければならず、本発明と等価な範囲内での全ての変更は本発明の範囲に含まれる。
【産業上の利用可能性】
【０３１７】
本発明は、５Ｇシステムに適用される例を中心に説明したが、３ＧＰＰ ５Ｇシステム以外にも様々な無線通信システムに適用することが可能である。
【図１】
2020530244.tif 000003
【図２（ａ）】
2020530244.tif 000004
【図２（ｂ）】
2020530244.tif 000005
【図３】
2020530244.tif 000006
【図４】
2020530244.tif 000007
【図５】
2020530244.tif 000008
【図６】
2020530244.tif 000009
【図７】
2020530244.tif 000010
【図８】
2020530244.tif 000011
【図９】
2020530244.tif 000012
【図１０】
2020530244.tif 000013
【図１１】
2020530244.tif 000014
【図１２】
2020530244.tif 000015
【図１３】
2020530244.tif 000016
【国際調査報告】
2020530244.tif 000017
2020530244.tif 000018
2020530244.tif 000019
2020530244.tif 000020